(57)【要約】  本発明の実施例は、クロスキャリアスケジューリングプロセスで、ＵＥが１つのＣＣ又はセルのＰＤＣＣＨをブラインド検出する最大処理能力が限定されていないため、ＵＥに対して対応するブラインド検出挙動を合理的に設定できないという関連技術の問題を解決するために、ＰＤＣＣＨ監視方法、端末及びネットワーク機器を提供し、通信技術分野に係る。該方法において、Ｎ個のスケジューリングセルのＰＤＣＣＨブラインド検出能力情報に基づいてＰＤＣＣＨを監視することを含む。Ｎ個のスケジューリングセルは、端末に対してネットワーク機器が設定するＭ個のセルのうちのセルであり、該Ｍ個のセルは、Ｘ個のスケジューリングされたセルを更に含む。Ｎ個のスケジューリングセルのＰＤＣＣＨブラインド検出能力情報は、Ｍ個のセルのセルパラメータに関連する。Ｎ個のスケジューリングセルのＰＤＣＣＨブラインド検出能力情報は、端末が単位時間内にスケジューリングセル毎又はＮ個のスケジューリングセルでＰＤＣＣＨをブラインド検出する最大処理能力を示す。Ｍ、Ｎは、１以上の正の整数であり、Ｘは、０以上の正の整数であり、Ｍ＝Ｎ＋Ｘである。
2021531695.tif 000002
【特許請求の範囲】
【請求項１】
端末に応用される下り制御チャネルＰＤＣＣＨ監視方法であって、
Ｎ個のスケジューリングセルのＰＤＣＣＨブラインド検出能力情報に基づいてＰＤＣＣＨを監視することを含み、
ここで、前記Ｎ個のスケジューリングセルは、前記端末に対してネットワーク機器が設定するＭ個のセルのうちのセルであり、前記Ｍ個のセルは、Ｘ個のスケジューリングされたセルを更に含み、前記Ｎ個のスケジューリングセルのＰＤＣＣＨブラインド検出能力情報は、前記Ｍ個のセルのセルパラメータに関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、
Ｍ、Ｎは、１以上の正の整数であり、Ｘは、０以上の正の整数であり、Ｍ＝Ｎ＋Ｘである、下り制御チャネルＰＤＣＣＨ監視方法。
【請求項２】
前記セルパラメータは、
各スケジューリングセルがスケジューリング可能なセル数、セル毎のサブキャリア間隔、セル毎のセル識別子及び前記端末に対して設定されるセル数Ｍの少なくとも１つを含む、請求項１に記載の方法。
【請求項３】
前記Ｍ個のセルのサブキャリア間隔が同一である場合、第１スケジューリングセルの第１ＰＤＣＣＨブラインド検出能力情報候補及び第２ＰＤＣＣＨブラインド検出能力情報候補を取得し、前記第１ＰＤＣＣＨブラインド検出能力情報候補及び前記第２ＰＤＣＣＨブラインド検出能力情報候補のうちの最小値を、前記第１スケジューリングセルのＰＤＣＣＨブラインド検出能力情報とすることを更に含み、
ここで、前記第１ＰＤＣＣＨブラインド検出能力情報候補は、第１値、第１情報及び前記第１スケジューリングセルのサブキャリア間隔に対応する第２情報の少なくとも１つに関連し、前記第２ＰＤＣＣＨブラインド検出能力情報候補は、前記第１スケジューリングセルがスケジューリング可能なセル数及び第２情報の少なくとも１つに関連し、
前記第１情報は、前記端末がＰＤＣＣＨをブラインド検出する最大処理能力を示し、前記第２情報は、前記第１スケジューリングセルに対応するサブキャリア間隔の設定において、前記端末がシングルセルでＰＤＣＣＨをブラインド検出する最大処理能力を示し、前記第１値は、前記端末が前記第１スケジューリングセルにＰＤＣＣＨブラインド検出能力を割り当てる割り当て割合であり、前記第１スケジューリングセルは、前記Ｎ個のスケジューリングセルのうちの１つである、請求項２に記載の方法。
【請求項４】
前記第１値は、
前記第１スケジューリングセルがスケジューリング可能なセル数と、前記端末に対して設定される前記セル数Ｍとの比である、請求項３に記載の方法。
【請求項５】
前記セルパラメータは、
前記Ｎ個のスケジューリングセルの第１優先度情報及び／又は前記Ｍ個のセルの第２優先度情報を含み、
前記第１優先度情報／又は前記第２優先度情報に応じて、高い方から順に、スケジューリングセル毎にＰＤＣＣＨブラインド検出能力及び／又は探索空間セット及び／又はＰＤＣＣＨ候補を割り当て、前記Ｎ個のスケジューリングセルのＰＤＣＣＨブラインド検出能力情報を決定することを更に含む、請求項１に記載の方法。
【請求項６】
前記Ｍ個のセルのサブキャリア間隔が異なる場合、第１サブキャリア間隔セットのうちの一部又は全部の第１サブキャリア間隔毎に対応するセル群のＰＤＣＣＨブラインド検出能力情報に基づいて、スケジューリングセル毎にＰＤＣＣＨブラインド検出能力をそれぞれ割り当て、前記スケジューリングセル毎のＰＤＣＣＨブラインド検出能力情報を決定することを更に含み、
ここで、前記第１サブキャリア間隔セットは、前記Ｎ個のスケジューリングセルに対応する全てのサブキャリア間隔、又は、前記Ｍ個のセルに対応する全てのサブキャリア間隔を含み、各セル群に含まれる全てのセルのサブキャリア間隔は、同じであり、異なるセル群に対応する第１サブキャリア間隔は、異なり、セル群毎のＰＤＣＣＨブラインド検出能力情報は、前記セル群のセルパラメータに関連する、請求項２に記載の方法。
【請求項７】
前記第１サブキャリア間隔セットに、前記Ｎ個のスケジューリングセルに対応する全てのサブキャリア間隔が含まれる場合、
第１セル群の第３ＰＤＣＣＨブラインド検出能力情報候補及び第４ＰＤＣＣＨブラインド検出能力情報候補を取得し、前記第３ＰＤＣＣＨブラインド検出能力情報候補及び前記第４ＰＤＣＣＨブラインド検出能力情報候補のうち最小値を、前記第１セル群のＰＤＣＣＨブラインド検出能力情報とすることを更に含み、
ここで、前記第３ＰＤＣＣＨブラインド検出能力情報候補は、前記第１セル群のスケジューリング可能セル数及び第３情報の少なくとも１つに関連し、前記第４ＰＤＣＣＨブラインド検出能力情報候補は、第１情報、第２値及び前記第３情報の少なくとも１つに関連し、
前記第１情報は、前記端末がＰＤＣＣＨをブラインド検出する最大処理能力を示し、前記第３情報は、前記第１セル群に対応するサブキャリア間隔の設定において、前記端末がシングルセルでＰＤＣＣＨをブラインド検出する最大処理能力を示し、前記第２値は、前記端末が前記第１セル群にＰＤＣＣＨブラインド検出能力を割り当てる割り当て割合であり、前記第１セル群は、全セル群のうちの１つの群である、請求項６に記載の方法。
【請求項８】
前記第２値は、前記第１セル群のスケジューリング可能なセル数と、全てのセル群のスケジューリング可能なセル数の合計との比であり、又は、前記第２値は、前記第１セル群のセル数と、全セル群のセル数の合計との比である、請求項７に記載の方法。
【請求項９】
前記第１サブキャリア間隔セットに、前記Ｍ個のセルに対応する全てのサブキャリア間隔が含まれる場合、
第２セル群の第５ＰＤＣＣＨブラインド検出能力情報候補を取得し、前記第５ＰＤＣＣＨブラインド検出能力情報候補と前記第２セル群に対応する第４情報とのうちの最小値を、前記第２セル群のＰＤＣＣＨブラインド検出能力情報とすることを更に含み、
ここで、前記第５ＰＤＣＣＨブラインド検出能力情報候補は、前記第２セル群に含まれるセル数、第１情報、及び前記端末に対して設定される前記セル数Ｍの少なくとも１つに関連し、
前記第１情報は、前記端末がＰＤＣＣＨをブラインド検出する最大処理能力を示し、前記第４情報は、前記第２セル群に対応するサブキャリア間隔の設定において、前記端末がシングルセルでＰＤＣＣＨをブラインド検出する最大処理能力を示し、前記第２セル群は、全セル群のうちの１つの群である、請求項６に記載の方法。
【請求項１０】
前記第１サブキャリア間隔セットに、前記Ｍ個のセルに対応する全てのサブキャリア間隔が含まれる場合、
前記の第１サブキャリア間隔セットのうちの一部又は全部の第１サブキャリア間隔毎に対応するセル群のＰＤＣＣＨブラインド検出能力情報に基づいて、スケジューリングセル毎にＰＤＣＣＨブラインド検出能力をそれぞれ割り当て、前記スケジューリングセル毎のＰＤＣＣＨブラインド検出能力情報を決定することは、
第２スケジューリングセルに対応する各スケジューリング可能なセルの在圏セル群のＰＤＣＣＨブラインド検出能力情報及び前記各スケジューリング可能なセルに対応する第３値に基づいて、前記第２スケジューリングセルにＰＤＣＣＨブラインド検出能力を割り当て、前記第２スケジューリングセルのＰＤＣＣＨブラインド検出能力情報を決定することを含み、
ここで、前記第３値は、前記端末が前記スケジューリング可能なセルにＰＤＣＣＨブラインド検出能力を割り当てる割り当て割合であり、前記第２スケジューリングセルは、前記Ｎ個のスケジューリングセルのうちの１つである、請求項６に記載の方法。
【請求項１１】
前記の第２スケジューリングセルに対応する各スケジューリング可能なセルの在圏セル群のＰＤＣＣＨブラインド検出能力情報及び前記各スケジューリング可能なセルに対応する第３値に基づいて、前記第２スケジューリングセルにＰＤＣＣＨブラインド検出能力を割り当て、前記第２スケジューリングセルのＰＤＣＣＨブラインド検出能力情報を決定することは、
前記第２スケジューリングセルに対応する各スケジューリング可能なセルの在圏セル群のＰＤＣＣＨブラインド検出能力情報と、前記各スケジューリング可能なセルに対応するサブキャリア間隔と、前記第２スケジューリングセルに対応するサブキャリア間隔と、第１式とに基づいて、前記第２スケジューリングセルのＰＤＣＣＨブラインド検出能力情報を決定することを含み、
ここで、前記第１式は、
【数１】
2021531695.tif 000085
であり、前記
【数２】
2021531695.tif 000086
は、前記第２スケジューリングセルのｊ番目のスケジューリング可能なセルの在圏セル群のＰＤＣＣＨブラインド検出能力情報であり、
【数３】
2021531695.tif 000087
は、前記ｊ番目のスケジューリング可能なセルに対応するサブキャリア間隔に基づいて決定され、前記
【数４】
2021531695.tif 000088
は、前記第２スケジューリングセルに対応するサブキャリア間隔に基づいて決定される、請求項１０に記載の方法。
【請求項１２】
前記Ｎ個の第１スケジューリングセルの第６ＰＤＣＣＨブラインド検出能力情報候補及び第７ＰＤＣＣＨブラインド検出能力情報候補を取得し、前記第６ＰＤＣＣＨブラインド検出能力情報候補及び前記第７ＰＤＣＣＨブラインド検出能力情報候補のうちの最小値を、前記Ｎ個のスケジューリングセルのＰＤＣＣＨブラインド検出能力情報とすることを更に含み、
ここで、前記第６ＰＤＣＣＨブラインド検出能力情報候補は、第１情報、及び、スケジューリングセル及び／又はスケジューリングされたセル毎のサブキャリア間隔に対応する第２情報の少なくとも１つに関連し、前記第７ＰＤＣＣＨブラインド検出能力情報候補は、前記端末に対して設定されるセル数Ｍ及び前記第２情報の少なくとも１つに関連し、
前記第１情報は、前記端末がＰＤＣＣＨをブラインド検出する最大処理能力を示し、前記第２情報は、対応するスケジューリングセル又はスケジューリングされたセルに対応するサブキャリア間隔の設定において、前記端末がシングルセルでＰＤＣＣＨをブラインド検出する最大処理能力を示す、請求項１に記載の方法。
【請求項１３】
前記端末が前記Ｎ個のスケジューリングセルの全ての探索空間セットでＰＤＣＣＨを監視する数を示す第５情報を取得することと、
前記第５情報に基づいて、前記端末が前記Ｎ個のスケジューリングセルの全ての探索空間セットでＰＤＣＣＨを監視する数が、前記端末がＰＤＣＣＨをブラインド検出する最大処理能力を超えると決定される場合、第３スケジューリングセルの一部の探索空間セットを割り当てないか、又は、前記第３スケジューリングセルの一部の探索空間セットに一部のＰＤＣＣＨブラインド検出能力を割り当てることとを更に含み、
ここで、前記第３スケジューリングセルは、前記Ｎ個のスケジューリングセルのうちの１つであり、且つ前記第３スケジューリングセルは、少なくとも１つのスケジューリングされたセルに対応する、請求項１〜１２のいずれか１項に記載の方法。
【請求項１４】
ネットワーク機器に応用される下り制御チャネルＰＤＣＣＨ監視方法であって、
Ｍ個のセルのセルパラメータを端末に対して設定し、ここで、前記Ｍ個のセルは、Ｎ個のスケジューリングセル及びＸ個のスケジューリングされたセルを含み、前記セルパラメータは、前記Ｎ個のスケジューリングセルのＰＤＣＣＨブラインド検出能力情報に関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、前記セルパラメータは、前記Ｎ個のスケジューリングセルのＰＤＣＣＨブラインド検出能力情報に基づいてＰＤＣＣＨを監視するように前記端末に指示し、
前記Ｎ個のスケジューリングセルでＰＤＣＣＨを送信することを含む、下り制御チャネルＰＤＣＣＨ監視方法。
【請求項１５】
端末であって、
Ｎ個のスケジューリングセルのＰＤＣＣＨブラインド検出能力情報に基づいてＰＤＣＣＨを監視する監視モジュールを含み、
ここで、前記Ｎ個のスケジューリングセルは、前記端末に対してネットワーク機器が設定するＭ個のセルのうちのセルであり、前記Ｍ個のセルは、Ｘ個のスケジューリングされたセルを更に含み、前記Ｎ個のスケジューリングセルのＰＤＣＣＨブラインド検出能力情報は、前記Ｍ個のセルのセルパラメータに関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、
Ｍ、Ｎは、１以上の正の整数であり、Ｘは、０以上の正の整数であり、Ｍ＝Ｎ＋Ｘである、端末。
【請求項１６】
前記セルパラメータは、
各スケジューリングセルがスケジューリング可能なセル数、セル毎のサブキャリア間隔、セル毎のセル識別子及び前記端末に対して設定されるセル数Ｍの少なくとも１つを含む、請求項１５に記載の端末。
【請求項１７】
前記Ｍ個のセルのサブキャリア間隔が同一である場合、第１スケジューリングセルの第１ＰＤＣＣＨブラインド検出能力情報候補及び第２ＰＤＣＣＨブラインド検出能力情報候補を取得し、前記第１ＰＤＣＣＨブラインド検出能力情報候補及び前記第２ＰＤＣＣＨブラインド検出能力情報候補のうちの最小値を、前記第１スケジューリングセルのＰＤＣＣＨブラインド検出能力情報とする取得モジュールを更に含み、
ここで、前記第１ＰＤＣＣＨブラインド検出能力情報候補は、第１値、第１情報及び前記第１スケジューリングセルのサブキャリア間隔に対応する第２情報の少なくとも１つに関連し、前記第２ＰＤＣＣＨブラインド検出能力情報候補は、前記第１スケジューリングセルがスケジューリング可能なセル数及び第２情報の少なくとも１つに関連し、
前記第１情報は、前記端末がＰＤＣＣＨをブラインド検出する最大処理能力を示し、前記第２情報は、前記第１スケジューリングセルに対応するサブキャリア間隔の設定において、前記端末がシングルセルでＰＤＣＣＨをブラインド検出する最大処理能力を示し、前記第１値は、前記端末が前記第１スケジューリングセルにＰＤＣＣＨブラインド検出能力を割り当てる割り当て割合であり、前記第１スケジューリングセルは、前記Ｎ個のスケジューリングセルのうちの１つである、請求項１６に記載の端末。
【請求項１８】
前記第１値は、
前記第１スケジューリングセルがスケジューリング可能なセル数と、前記端末に対して設定されるセル数Ｍとの比である、請求項１７に記載の端末。
【請求項１９】
前記セルパラメータは、
前記Ｎ個のスケジューリングセルの第１優先度情報及び／又は前記Ｍ個のセルの第２優先度情報を含み、
前記端末は、
前記第１優先度情報／又は前記第２優先度情報に応じて、高い方から順に、スケジューリングセル毎にＰＤＣＣＨブラインド検出能力及び／又は探索空間セット及び／又はＰＤＣＣＨ候補を割り当て、前記Ｎ個のスケジューリングセルのＰＤＣＣＨブラインド検出能力情報を決定する決定モジュールを更に含む、請求項１５に記載の端末。
【請求項２０】
前記Ｍ個のセルのサブキャリア間隔が異なる場合、第１サブキャリア間隔セットのうちの一部又は全部の第１サブキャリア間隔毎に対応するセル群のＰＤＣＣＨブラインド検出能力情報に基づいて、スケジューリングセル毎にＰＤＣＣＨブラインド検出能力をそれぞれ割り当て、前記スケジューリングセル毎のＰＤＣＣＨブラインド検出能力情報を決定する取得モジュールを更に含み、
ここで、前記第１サブキャリア間隔セットは、前記Ｎ個のスケジューリングセルに対応する全てのサブキャリア間隔、又は、前記Ｍ個のセルに対応する全てのサブキャリア間隔を含み、各セル群に含まれる全てのセルのサブキャリア間隔は、同じであり、異なるセル群に対応する第１サブキャリア間隔は、異なり、セル群毎のＰＤＣＣＨブラインド検出能力情報は、前記セル群のセルパラメータに関連する、請求項１６に記載の端末。
【請求項２１】
前記取得モジュールは、更に、前記第１サブキャリア間隔セットに、前記Ｎ個のスケジューリングセルに対応する全てのサブキャリア間隔が含まれる場合、第１セル群の第３ＰＤＣＣＨブラインド検出能力情報候補及び第４ＰＤＣＣＨブラインド検出能力情報候補を取得し、前記第３ＰＤＣＣＨブラインド検出能力情報候補及び前記第４ＰＤＣＣＨブラインド検出能力情報候補のうち最小値を、前記第１セル群のＰＤＣＣＨブラインド検出能力情報とし、
ここで、前記第３ＰＤＣＣＨブラインド検出能力情報候補は、前記第１セル群のスケジューリング可能セル数及び第３情報の少なくとも１つに関連し、前記第４ＰＤＣＣＨブラインド検出能力情報候補は、第１情報、第２値及び前記第３情報の少なくとも１つに関連し、
前記第１情報は、前記端末がＰＤＣＣＨをブラインド検出する最大処理能力を示し、前記第３情報は、前記第１セル群に対応するサブキャリア間隔の設定において、前記端末がシングルセルでＰＤＣＣＨをブラインド検出する最大処理能力を示し、前記第２値は、前記端末が前記第１セル群にＰＤＣＣＨブラインド検出能力を割り当てる割り当て割合であり、前記第１セル群は、全セル群のうちの１つの群である、請求項２０に記載の端末。
【請求項２２】
前記第２値は、前記第１セル群のスケジューリング可能なセル数と、全てのセル群のスケジューリング可能なセル数の合計との比であり、又は、前記第２値は、前記第１セル群のセル数と、全セル群のセル数の合計との比である、請求項２１に記載の端末。
【請求項２３】
前記取得モジュールは、更に、前記第１サブキャリア間隔セットに、前記Ｍ個のセルに対応する全てのサブキャリア間隔が含まれる場合、第２セル群の第５ＰＤＣＣＨブラインド検出能力情報候補を取得し、前記第５ＰＤＣＣＨブラインド検出能力情報候補と前記第２セル群に対応する第４情報とのうちの最小値を、前記第２セル群のＰＤＣＣＨブラインド検出能力情報とし、
ここで、前記第５ＰＤＣＣＨブラインド検出能力情報候補は、前記第２セル群に含まれるセル数、第１情報、及び前記端末に対して設定されるセル数Ｍの少なくとも１つに関連し、
前記第１情報は、前記端末がＰＤＣＣＨをブラインド検出する最大処理能力を示し、前記第４情報は、前記第２セル群に対応するサブキャリア間隔の設定において、前記端末がシングルセルでＰＤＣＣＨをブラインド検出する最大処理能力を示し、前記第２セル群は、全セル群のうちの１つの群である、請求項２０に記載の端末。
【請求項２４】
前記第１サブキャリア間隔セットに、前記Ｍ個のセルに対応する全てのサブキャリア間隔が含まれる場合、
前記決定モジュールは、具体的には、第２スケジューリングセルに対応する各スケジューリング可能なセルの在圏セル群のＰＤＣＣＨブラインド検出能力情報及び前記各スケジューリング可能なセルに対応する第３値に基づいて、前記第２スケジューリングセルにＰＤＣＣＨブラインド検出能力を割り当て、前記第２スケジューリングセルのＰＤＣＣＨブラインド検出能力情報を決定し、
ここで、前記第３値は、前記端末が前記スケジューリング可能なセルにＰＤＣＣＨブラインド検出能力を割り当てる割り当て割合であり、前記第２スケジューリングセルは、前記Ｎ個のスケジューリングセルのうちの１つである、請求項２０に記載の端末。
【請求項２５】
前記決定モジュールは、具体的には、
前記第２スケジューリングセルに対応する各スケジューリング可能なセルの在圏セル群のＰＤＣＣＨブラインド検出能力情報と、前記各スケジューリング可能なセルに対応するサブキャリア間隔と、前記第２スケジューリングセルに対応するサブキャリア間隔と、第１式とに基づいて、前記第２スケジューリングセルのＰＤＣＣＨブラインド検出能力情報を決定し、
ここで、前記第１式は、
【数５】
2021531695.tif 000089
であり、前記
【数６】
2021531695.tif 000090
は、前記第２スケジューリングセルのｊ番目のスケジューリング可能なセルの在圏セル群のＰＤＣＣＨブラインド検出能力情報であり、
【数７】
2021531695.tif 000091
は、前記ｊ番目のスケジューリング可能なセルに対応するサブキャリア間隔に基づいて決定され、前記
【数８】
2021531695.tif 000092
は、前記第２スケジューリングセルに対応するサブキャリア間隔に基づいて決定される、請求項２４に記載の端末。
【請求項２６】
前記Ｎ個の第１スケジューリングセルの第６ＰＤＣＣＨブラインド検出能力情報候補及び第７ＰＤＣＣＨブラインド検出能力情報候補を取得し、前記第６ＰＤＣＣＨブラインド検出能力情報候補及び前記第７ＰＤＣＣＨブラインド検出能力情報候補のうちの最小値を、前記Ｎ個のスケジューリングセルのＰＤＣＣＨブラインド検出能力情報とする取得モジュールを更に含み、
ここで、前記第６ＰＤＣＣＨブラインド検出能力情報候補は、第１情報、及び、スケジューリングセル及び／又はスケジューリングされたセル毎のサブキャリア間隔に対応する第２情報の少なくとも１つに関連し、前記第７ＰＤＣＣＨブラインド検出能力情報候補は、前記端末に対して設定されるセル数Ｍ及び前記第２情報の少なくとも１つに関連し、
前記第１情報は、前記端末がＰＤＣＣＨをブラインド検出する最大処理能力を示し、前記第２情報は、対応するスケジューリングセル又はスケジューリングされたセルに対応するサブキャリア間隔の設定において、前記端末がシングルセルでＰＤＣＣＨをブラインド検出する最大処理能力を示す、請求項１５に記載の端末。
【請求項２７】
前記端末が前記Ｎ個のスケジューリングセルの全ての探索空間セットでＰＤＣＣＨを監視する数を示す第５情報を取得する取得モジュールと、
前記第５情報に基づいて、前記端末が前記Ｎ個のスケジューリングセルの全ての探索空間セットでＰＤＣＣＨを監視する数が、前記端末がＰＤＣＣＨをブラインド検出する最大処理能力を超えると決定される場合、第３スケジューリングセルの一部の探索空間セットを割り当てないか、又は、前記第３スケジューリングセルの一部の探索空間セットに一部のＰＤＣＣＨブラインド検出能力を割り当てる割り当てモジュールとを更に含み、
ここで、前記第３スケジューリングセルは、前記Ｎ個のスケジューリングセルのうちの１つであり、且つ前記第３スケジューリングセルは、少なくとも１つのスケジューリングされたセルに対応する、請求項１５〜２６のいずれか１項に記載の端末。
【請求項２８】
ネットワーク機器であって、
Ｍ個のセルのセルパラメータを端末に対して設定する送信モジュールを含み、ここで、前記Ｍ個のセルは、Ｎ個のスケジューリングセル及びＸ個のスケジューリングされたセルを含み、前記セルパラメータは、前記Ｎ個のスケジューリングセルのＰＤＣＣＨブラインド検出能力情報に関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、前記セルパラメータは、前記Ｎ個のスケジューリングセルのＰＤＣＣＨブラインド検出能力情報に基づいてＰＤＣＣＨを監視するように前記端末に指示し、
前記送信モジュールは、更に、前記Ｎ個のスケジューリングセルでＰＤＣＣＨを送信する、ネットワーク機器。
【請求項２９】
プロセッサと、メモリと、前記メモリに格納されて前記プロセッサで実行可能なコンピュータプログラムとを含む端末であって、
前記コンピュータプログラムが前記プロセッサによって実行されると、請求項１〜１３のいずれか１項に記載の下り制御チャネルＰＤＣＣＨ監視方法のステップが実現される、端末。
【請求項３０】
プロセッサと、メモリと、前記メモリに格納されて前記プロセッサで実行可能なコンピュータプログラムとを含むネットワーク機器であって、
前記コンピュータプログラムが前記プロセッサによって実行されると、請求項１４に記載の下り制御チャネルＰＤＣＣＨ監視方法のステップが実現される、ネットワーク機器。
【請求項３１】
コンピュータプログラムが格納されているコンピュータ読み取り可能な記憶媒体であって、
前記コンピュータプログラムがプロセッサによって実行されると、請求項１〜１３のいずれか１項又は請求項１４に記載の下り制御チャネルＰＤＣＣＨ監視方法のステップが実現される、コンピュータ読み取り可能な記憶媒体。
【発明の詳細な説明】
【技術分野】
【０００１】
本願は、２０１８年０７月２０日に中国特許庁に提出された「ＰＤＣＣＨ監視方法、端末及びネットワーク機器」という出願名の中国特許出願２０１８１０８０５００９．８の優先権を主張し、その全ての内容が援用によりここに取り込まれる。
【０００２】
本願は、通信技術分野に係り、特に物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）監視方法、端末及びネットワーク機器に係る。
【背景技術】
【０００３】
現在、５Ｇ（ＮＲ）システムは、ユーザ機器ＵＥ（Ｕｓｅｒ  Ｅｑｕｉｐｍｅｎｔ）に対して設定された各キャリアＣＣ（Ｃｏｍｐｏｎｅｎｔ  Ｃａｒｒｉｅｒ）又はセルに対して設定された複数の制御リソースセットＣＯＲＥＳＥＴ（Ｃｏｎｔｒｏｌ  Ｒｅｓｏｕｒｃｅ  Ｓｅｔ）及び複数の探索空間セットをサポートし、探索空間セット毎にＰＤＣＣＨの候補数を柔軟に設定する。
【０００４】
関連技術では、シングルキャリアスケジューリング又はキャリアアグリゲーションＣＡ（Ｃａｒｒｉｅｒ  Ａｇｇｒｅｇａｔｉｏｎ）における自己スケジューリング設定について、ＵＥが１つのＣＣ又はセルのＰＤＣＣＨをブラインド検出する最大処理能力が関連プロトコルで規定され、この最大処理能力は、ＵＥがＰＤＣＣＨをブラインド検出する最大ＰＤＣＣＨ  ｃａｎｄｉｄａｔｅ数と、ＵＥがＰＤＣＣＨをブラインド検出するのに必要な最大チャネル推定数、即ち重複しない制御チャネル要素ＣＣＥ（Ｃｏｎｔｒｏｌ  Ｃｈａｎｎｅｌ  Ｅｌｅｍｅｎｔ）の数とを含む。
【０００５】
しかし、クロスキャリアスケジューリングのシナリオでは、ＵＥが１つのＣＣ又はセルのＰＤＣＣＨをブラインド検出する最大処理能力は、現在、まだ明確にされていない。
【発明の概要】
【発明が解決しようとする課題】
【０００６】
本発明の実施例は、クロスキャリアスケジューリングプロセスで、ＵＥが１つのＣＣ又はセルのＰＤＣＣＨをブラインド検出する最大処理能力が限定されていないため、ＵＥに対して対応するブラインド検出挙動を合理的に設定できないという関連技術の問題を解決するために、ＰＤＣＣＨ監視方法、端末及びネットワーク機器を提供する。
【課題を解決するための手段】
【０００７】
第１態様として、本発明の実施例は、端末に応用されるＰＤＣＣＨ監視方法を提供し、該方法において、Ｎ個のスケジューリングセルのＰＤＣＣＨブラインド検出能力情報に基づいてＰＤＣＣＨを監視することを含む。ここで、前記Ｎ個のスケジューリングセルは、前記端末に対してネットワーク機器が設定するＭ個のセルのうちのセルであり、前記Ｍ個のセルは、Ｘ個のスケジューリングされたセルを更に含み、前記Ｎ個のスケジューリングセルのＰＤＣＣＨブラインド検出能力情報は、前記Ｍ個のセルのセルパラメータに関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示す。Ｍ、Ｎは、１以上の正の整数であり、Ｘは、０以上の正の整数であり、Ｍ＝Ｎ＋Ｘである。
【０００８】
第２態様として、本発明の実施例は、ネットワーク機器に応用されるＰＤＣＣＨ監視方法を提供し、該方法において、Ｍ個のセルのセルパラメータを端末に対して設定することを含む。ここで、前記Ｍ個のセルは、Ｎ個のスケジューリングセル及びＸ個のスケジューリングされたセルを含み、前記セルパラメータは、前記Ｎ個のスケジューリングセルのＰＤＣＣＨブラインド検出能力情報に関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、前記セルパラメータは、前記Ｎ個のスケジューリングセルのＰＤＣＣＨブラインド検出能力情報に基づいてＰＤＣＣＨを監視するように前記端末に指示する。該方法において、前記Ｎ個のスケジューリングセルでＰＤＣＣＨを送信することを含む。
【０００９】
第３態様として、本発明の実施例は、端末を提供し、Ｎ個のスケジューリングセルのＰＤＣＣＨブラインド検出能力情報に基づいてＰＤＣＣＨを監視する監視モジュールを含む。ここで、前記Ｎ個のスケジューリングセルは、前記端末に対してネットワーク機器が設定するＭ個のセルのうちのセルであり、前記Ｍ個のセルは、Ｘ個のスケジューリングされたセルを更に含み、前記Ｎ個のスケジューリングセルのＰＤＣＣＨブラインド検出能力情報は、前記Ｍ個のセルのセルパラメータに関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示す。Ｍ、Ｎは、１以上の正の整数であり、Ｘは、０以上の正の整数であり、Ｍ＝Ｎ＋Ｘである。
【００１０】
第４態様として、本発明の実施例は、ネットワーク機器を提供し、Ｍ個のセルのセルパラメータを端末に対して設定する送信モジュールを含む。ここで、前記Ｍ個のセルは、Ｎ個のスケジューリングセル及びＸ個のスケジューリングされたセルを含み、前記セルパラメータは、前記Ｎ個のスケジューリングセルのＰＤＣＣＨブラインド検出能力情報に関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、前記セルパラメータは、前記Ｎ個のスケジューリングセルのＰＤＣＣＨブラインド検出能力情報に基づいてＰＤＣＣＨを監視するように前記端末に指示する。前記送信モジュールは、更に、前記Ｎ個のスケジューリングセルでＰＤＣＣＨを送信する。
【００１１】
第５態様として、本発明の実施例は、プロセッサと、メモリと、前記メモリに格納されて前記プロセッサで実行可能なコンピュータプログラムとを含む端末を提供し、前記コンピュータプログラムが前記プロセッサによって実行されると、第１態様に記載のＰＤＣＣＨ監視方法のステップが実現される。
【００１２】
第６態様として、本発明の実施例は、プロセッサと、メモリと、前記メモリに格納されて前記プロセッサで実行可能なコンピュータプログラムとを含むネットワーク機器を提供し、前記コンピュータプログラムが前記プロセッサによって実行されると、第２態様に記載のＰＤＣＣＨ監視方法のステップが実現される。
【００１３】
第７態様として、本発明の実施例は、コンピュータプログラムが格納されているコンピュータ読み取り可能な記憶媒体を提供し、前記コンピュータプログラムがプロセッサによって実行されると、上記のＰＤＣＣＨ監視方法のステップが実現される。
【発明の効果】
【００１４】
本発明の実施例において、ネットワーク機器が、クロスキャリアスケジューリング過程で端末に対してＮ個のスケジューリングセル及びＸ個のスケジューリングされたセルを含むＭ個のセルのセルパラメータを設定することによって、端末が、該セルパラメータに基づいて、スケジューリングセル毎又はＮ個のスケジューリングセルで端末がＰＤＣＣＨをブラインド検出する最大処理能力（即ち、Ｎ個のスケジューリングセルのＰＤＣＣＨブラインド検出能力情報）を決定することができ、端末の処理能力を活用し、ＰＤＣＣＨに対する端末の監視効率を向上させる。
【図面の簡単な説明】
【００１５】
【図１】本発明の実施例に係る通信システムの１つの構造図である。
【図２】本発明の実施例に係るＰＤＣＣＨ監視方法のフローチャートその１である。
【図３】本発明の実施例に係るＰＤＣＣＨ監視方法のフローチャートその２である。
【図４】本発明の実施例に係るＰＤＣＣＨ監視方法のフローチャートその３である。
【図５】本発明の実施例に係るＰＤＣＣＨ監視方法のフローチャートその４である。
【図６】本発明の実施例に係るＰＤＣＣＨ監視方法のフローチャートその５である。
【図７】本発明の実施例に係るＰＤＣＣＨ監視方法のフローチャートその６である。
【図８】本発明の実施例に係る端末の構造図その１である。
【図９】本発明の実施例に係るネットワーク機器の構造図その１である。
【図１０】本発明の実施例に係る端末の構造図その２である。
【図１１】本発明の実施例に係るネットワーク機器の構造図その２である。
【発明を実施するための形態】
【００１６】
以下、本発明の実施例の図面とともに、本発明の実施例の技術手段を明確且つ完全的に記載する。明らかに、記載する実施例は、本発明の実施例の一部であり、全てではない。本発明の実施例に基づき、当業者が創造性のある作業をしなくても為しえる全ての他の実施例は、いずれも本願の保護範囲に属するものである。
【００１７】
本願に係る技術手段は、例えば５Ｇ通信システム、今後の発展型システム又は多種類通信融合システムなど、様々な通信システムに応用可能である。例えばＭ２Ｍ（Ｍａｃｈｉｎｅ  ｔｏ  Ｍａｃｈｉｎｅ）、Ｄ２Ｍ、マクロマイクロ通信、ｅＭＢＢ（ｅｎｈａｎｃｅ  Ｍｏｂｉｌｅ  Ｂｒｏａｄｂａｎｄ）、ｕＲＬＬＣ（ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ）並びにｍＭＴＣ（Ｍａｓｓｉｖｅ  Ｍａｃｈｉｎｅ  Ｔｙｐｅ  Ｃｏｍｍｕｎｉｃａｔｉｏｎ）などの様々なアプリケーションシナリオを含む。これらのシナリオは、端末と端末との間の通信、ネットワーク機器とネットワーク機器との間の通信、又はネットワーク機器と端末との間の通信などのシナリオが含まれるが、これらに限定されない。本発明の実施例は、５Ｇ通信システムにおけるネットワーク機器と端末との間の通信、端末と端末との間の通信、又はネットワーク機器とネットワーク機器との間の通信に応用可能である。
【００１８】
図１は、本発明の実施例に係る通信システムの１つの可能な構造図である。図１に示すように、該通信システムは、少なくとも１つのネットワーク機器１００（図１では１つしか示されていない）と、各ネットワーク機器１００に接続された１つ又は複数の端末２００を含む。
【００１９】
ここで、上記ネットワーク機器１００は、基地局、コアネットワーク機器、送受信ノードＴＲＰ（Ｔｒａｎｓｍｉｓｓｉｏｎ  ａｎｄ  Ｒｅｃｅｐｔｉｏｎ  Ｐｏｉｎｔ）、中継局又はアクセスポイントなどである。ネットワーク機器１００は、グローバル移動通信システムＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）又は符号分割多元接続ＣＤＭＡ（Ｃｏｄｅ  Ｄｉｖｉｓｉｏｎ  Ｍｕｌｔｉｐｌｅ  Ａｃｃｅｓｓ）ネットワークにおける基地局送受信局ＢＴＳ（Ｂａｓｅ  Ｔｒａｎｓｃｅｉｖｅｒ  Ｓｔａｔｉｏｎ）であってもよく、広帯域符号分割多元接続ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）におけるＮＢ（ＮｏｄｅＢ）であってもよく、ＬＴＥにおけるｅＮＢ又はｅＮｏｄｅＢ（ｅｖｏｌｕｔｉｏｎａｌ  ＮｏｄｅＢ）であってもよい。ネットワーク機器１００は、クラウド無線アクセスネットワークＣＲＡＮ（Ｃｌｏｕｄ  Ｒａｄｉｏ  Ａｃｃｅｓｓ  Ｎｅｔｗｏｒｋ）シナリオにおける無線コントローラであってもよい。ネットワーク機器１００は、５Ｇ通信システムにおけるネットワーク機器であってもよいし、今後の発展型ネットワークにおけるネットワーク機器であってもよい。ただし、用語は、本願への制限にならない。
【００２０】
端末２００は、無線端末であってもよく、有線端末であってもよい。該無線端末とは、音声及び／又は他のサービスデータ接続性をユーザに提供する機器、無線接続機能を有する携帯機器、計算機器又は無線モデムに接続された他の処理機器、車載機器、ウェアラブルデバイス、将来の５Ｇネットワークにおける端末又は将来の発展型ＰＬＭＮネットワークにおける端末などを指す。無線端末は、無線アクセスネットワークＲＡＮ（Ｒａｄｉｏ  Ａｃｃｅｓｓ  Ｎｅｔｗｏｒｋ）を介して１つ又は複数のコアネットワークと通信可能である。無線端末は、移動電話（又は「セルラー」電話と称される）などの移動端末、無線アクセスネットワークとは音声及び／又はデータのやり取りを行う携帯式、ポータブル式、ハンドヘルド式、コンピュータ内蔵式又は車載の移動装置などの移動端末を有するコンピュータ、及び、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、移動機器、ユーザ機器ＵＥ（Ｕｓｅｒ  Ｅｑｕｉｐｍｅｎｔ）、ＵＥ端末、アクセス端末、無線通信機器、端末ユニット、端末局、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、遠隔局、リモート端末（Ｒｅｍｏｔｅ  Ｔｅｒｍｉｎａｌ）、契約ユニット（Ｓｕｂｓｃｒｉｂｅｒ  Ｕｎｉｔ）、契約局（Ｓｕｂｓｃｒｉｂｅｒ  Ｓｔａｔｉｏｎ）、ユーザエージェント（Ｕｓｅｒ  Ａｇｅｎｔ）、端末装置であってもよい。１つの例として、本発明の実施例において、図１では、端末を携帯電話で例示する。
【００２１】
以下、読者によく理解してもらうために、本願に係る一部の用語を説明する。
【００２２】
１．クロスキャリアスケジューリング
関連技術では、一部セルのチャネル品質が不十分であり、又はチャネル混雑確率が高い場合、ネットワーク機器は、端末に対してクロスキャリアスケジューリングを設定し、即ち、制御チャネルを他のより良好なチャネル品質のセル（例えば、プライマリセル）に設定して、他のセル（例えば、セカンダリセル）のデータに対してクロスキャリアスケジューリングを行う。ここで、あるセルに制御チャネルＰＤＣＣＨが設定されていれば、そのセルは、スケジューリングセル（ｓｃｈｅｄｕｌｉｎｇ  ｃｅｌｌ）と呼ばれる。一般に、スケジューリングセルは、自己のみをスケジューリングする自己スケジューリングモードであってもよいし、自己以外のスケジューリングされたセル（ｓｃｈｅｄｕｌｅｄ  ｃｅｌｌ）を１つ又は複数スケジューリングするクロスキャリアスケジューリングモードであってもよい。スケジューリングされたセルは、自らのＰＤＣＣＨを持たず、クロスキャリアスケジューリング設定が指示する１つのスケジューリングセルによってしかスケジューリングできない。
【００２３】
なお、スケジューリングセルとスケジューリングされたセルのサブキャリア帯域幅ＳＣＳ（Ｓｕｂｃａｒｒｉｅｒ  Ｓｐａｃｉｎｇ）は、同一であっても異なっていてもよい。
【００２４】
ここで、端末がサポートするＳＣＳ設定μは、下記の表１に示す通りであり、各μ値が１つのサブキャリア間隔に対応する。
【００２５】
【表１】
2021531695.tif 000003
【００２６】
２．ＰＤＣＣＨブラインド検出能力
ＰＤＣＣＨブラインド検出能力とは、端末が単位時間（例えば、１ｓｌｏｔ又はｍｉｎｉ−ｓｌｏｔ等）内にシングルセルでＰＤＣＣＨをブラインド検出する最大処理能力であり、単位時間に端末がブラインド検出する最大ＰＤＣＣＨ  ｃａｎｄｉｄａｔｅ（候補）数と、端末がブラインド検出するのに必要な最大チャネル推定数、即ち重複しない制御チャネル要素ＣＣＥ（Ｃｏｎｔｒｏｌ  Ｃｈａｎｎｅｌ  Ｅｌｅｍｅｎｔ）数を含む。
【００２７】
ここで、異なるＳＣＳ設定において端末がシングルセルで１つのｓｌｏｔ内でブラインド検出する最大ＰＤＣＣＨ  ｃａｎｄｉｄａｔｅ数は、下記表２に示す通りであり、各μ値は、１つのＰＤＣＣＨ  ｃａｎｄｉｄａｔｅ数に対応する。
【００２８】
【表２】
2021531695.tif 000004
【００２９】
ここで、異なるＳＣＳ設定において端末がシングルセルで１つのｓｌｏｔ内でブラインド検出する最大非重複ＣＣＥ数
【数１】
2021531695.tif 000005
は、下記表３に示す通りであり、各μ値は、１つのＣＣＥ数に対応する。
【００３０】
【表３】
2021531695.tif 000006
【００３１】
３．他の用語
本明細書における「及び／又は」は、単に関連対象の関連関係を記載するものであり、３種類の関係が存在することを示す。例えばＡ及び／又はＢは、Ａのみが存在するケース、ＡとＢの両方が存在するケース、Ｂのみが存在するケースの３種類を示す。また、本明細書における「／」という記号は、一般に、前後の関連対象が「又は」という関係にあることを示す。式において、「／」という記号は、前後の関連対象が「除算」という関係にあることを示す。付け加えて説明しなければ、本明細書における「複数」は、２つ又はそれより大きいという意味を指す。
【００３２】
本発明の実施例の技術手段を明確に記載するために、本発明の実施例において、「第１」、「第２」などの用語を用いて、機能や作用が基本的に同一である同一項目又は類似項目を区別するが、当業者にとって、数や実行順が「第１」、「第２」などの用語によって限定されないことは、自明である。
【００３３】
本発明の実施例において、「例示的」又は「例えば」などの用語は、例、例証又は説明を示すことに用いられる。本発明の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。本発明の実施例において、特に断りがなければ、「複数」とは、２つ又はそれより大きいという意味を指す。
実施例１
【００３４】
図２は、本発明の実施例に係るＰＤＣＣＨ監視方法のフローチャートを示す。図２に示すように、該ＰＤＣＣＨ監視方法は、以下のステップを含む。
【００３５】
ステップ２０１において、ネットワーク機器は、端末に対してＭ個のセルのセルパラメータを設定する。
【００３６】
それに対応し、相手側の端末は、ネットワーク機器から端末に送信されたセルパラメータを受信する。ここで、上記ネットワーク機器は、図１に示す通信システムにおけるネットワーク機器、例えば基地局であり、上記第１端末は、図１に示す通信システムにおける端末機器である。
【００３７】
ステップ２０２において、ネットワーク機器は、Ｎ個のスケジューリングセルで端末にＰＤＣＣＨを送信する。
【００３８】
ステップ２０３において、端末は、Ｎ個のスケジューリングセルのＰＤＣＣＨブラインド検出能力情報に基づいてＰＤＣＣＨを監視する。
【００３９】
本発明の実施例において、上記Ｍ個のセルは、Ｎ個のスケジューリングセル及びＸ個のスケジューリングされたセルを含み、上記Ｎ個のスケジューリングセルの一部又は全てのスケジューリングセルには、スケジューリングされたセルが設定され、上記のＸ個のスケジューリングされたセルは、該一部又は全てのスケジューリングセルに対応するスケジューリングされたセルである。ここで、上記Ｍ、Ｎは、１以上の正の整数であり、Ｘは、０以上の正の整数であり、Ｍ＝Ｎ＋Ｘである。
【００４０】
なお、本発明の実施例におけるスケジューリングされたセルは、クロスキャリアスケジューリング設定が設定されたセルである。
【００４１】
本発明の実施例において、上記のセルパラメータは、Ｎ個のスケジューリングセルのＰＤＣＣＨブラインド検出能力情報に基づいてＰＤＣＣＨを監視するように端末に指示する。上記のセルパラメータは、Ｎ個のスケジューリングセルのＰＤＣＣＨブラインド検出能力情報に関連する。上記Ｎ個のスケジューリングセルのＰＤＣＣＨブラインド検出能力情報は、端末が単位時間内にスケジューリングセル毎又はＮ個のスケジューリングセルでＰＤＣＣＨをブラインド検出する最大処理能力を示す。
【００４２】
本発明の実施例において、上記の最大処理能力は、端末がＰＤＣＣＨをブラインド検出する最大ＰＤＣＣＨ  ｃａｎｄｉｄａｔｅ数（例えば、表２におけるＰＤＣＣＨ  ｃａｎｄｉｄａｔｅ数）と、端末がＰＤＣＣＨをブラインド検出するのに必要な最大チャネル推定数、即ち重複しないＣＣＥ数（例えば、表３におけるＣＣＥ数）とを含む。
【００４３】
本発明の実施例において、端末は、ＰＤＣＣＨを監視する場合、ＰＤＣＣＨ  ｃａｎｄｉｄａｔｅを論理単位としてブラインド検出を行う。端末は、これらのＰＤＣＣＨ  ｃａｎｄｉｄａｔｅをブラインド検出し、ブラインド検出が成功した場合、これらのＰＤＣＣＨ  ｃａｎｄｉｄａｔｅが有効なＰＤＣＣＨであることを示す。成功していない場合、これらＰＤＣＣＨ  ｃａｎｄｉｄａｔｅが無効である（例えば、他の端末に送信されるものであり、又は、無効なノイズである）ことを示す。従って、端末がＰＤＣＣＨを監視することは、ＰＤＣＣＨ  ｃａｎｄｉｄａｔｅを監視することにも見なされる。
【００４４】
任意選択で、本発明の実施例において、上記のセルパラメータは、各スケジューリングセルがスケジューリング可能なセル数、セル毎のサブキャリア間隔、セル毎のセル識別子及び前記端末に対して設定されるセル数Ｍの少なくとも１つを含む。
【００４５】
本発明の実施例において、端末は、端末がＰＤＣＣＨをブラインド検出する最大処理能力をセルパラメータから間接的に推定してもよいし、端末から報告されたＰＤＣＣＨをブラインド検出する最大処理能力に直接的に応じて、Ｎ個のスケジューリングセル又はスケジューリングセル毎にＰＤＣＣＨブラインド検出能力及び／又は探索空間セット及び／又はＰＤＣＣＨ  ｃａｎｄｉｄａｔｅを割り当ててもよい。
【００４６】
なお、ネットワーク機器は、Ｎ個のスケジューリングセルで端末にＰＤＣＣＨを送信する場合も、送信されるＰＤＣＣＨが、端末がＰＤＣＣＨをブラインド検出する最大処理能力を超えないことを保証するように、上記のＮ個のスケジューリングセルのＰＤＣＣＨブラインド検出能力情報を決定する必要がある。
【００４７】
本発明の実施例に係るＰＤＣＣＨ監視方法において、ネットワーク機器が、クロスキャリアスケジューリング過程で端末に対してＮ個のスケジューリングセル及びＸ個のスケジューリングされたセルを含むＭ個のセルのセルパラメータを設定することによって、端末が、該セルパラメータに基づいて、スケジューリングセル毎又はＮ個のスケジューリングセルで端末がＰＤＣＣＨをブラインド検出する最大処理能力（即ち、Ｎ個のスケジューリングセルのＰＤＣＣＨブラインド検出能力情報）を決定することができ、端末の処理能力を活用し、ＰＤＣＣＨに対する端末の監視効率を向上させる。
実施例２
【００４８】
図３は、本発明の実施例に係る別のＰＤＣＣＨ監視方法のフローチャートを示す。図３に示すように、本発明の実施例は、主にＭ個のセルのサブキャリア間隔が同一であるシナリオに対するものである。該シナリオにおいて、該ＰＤＣＣＨ監視方法は、以下のステップを含む。
【００４９】
ステップ３０１において、ネットワーク機器は、端末に対してＭ個のセルのセルパラメータを設定する。
【００５０】
ステップ３０２において、ネットワーク機器は、Ｎ個のスケジューリングセルで端末にＰＤＣＣＨを送信する。
【００５１】
ステップ３０３において、端末は、Ｍ個のセルのサブキャリア間隔が同一である場合、第１スケジューリングセルの第１ＰＤＣＣＨブラインド検出能力情報候補及び第２ＰＤＣＣＨブラインド検出能力情報候補を取得し、第１ＰＤＣＣＨブラインド検出能力情報候補及び第２ＰＤＣＣＨブラインド検出能力情報候補のうちの最小値を、第１スケジューリングセルのＰＤＣＣＨブラインド検出能力情報とする。
【００５２】
本発明の実施例において、端末は、上記のステップ３０３に基づいて、各スケジューリングセルのＰＤＣＣＨブラインド検出能力情報を決定する。
【００５３】
本発明の実施例において、上記第１ＰＤＣＣＨブラインド検出能力情報候補は、第１値、第１情報及び第１スケジューリングセルのサブキャリア間隔に対応する第２情報の少なくとも１つに関連し、上記第２ＰＤＣＣＨブラインド検出能力情報候補は、第１スケジューリングセルがスケジューリング可能なセル数及び第２情報の少なくとも１つに関連する。
【００５４】
ここで、上記第１情報は、端末がＰＤＣＣＨをブラインド検出する最大処理能力を示し、即ち、端末から報告されたＰＤＣＣＨをブラインド検出する最大処理能力を示す。上記第２情報は、第１スケジューリングセルに対応するサブキャリア間隔の設定において、端末がシングルセルでＰＤＣＣＨをブラインド検出する最大処理能力を示し、例えば、表２におけるＰＤＣＣＨ  ｃａｎｄｉｄａｔｅ数及び表３におけるＣＣＥ数である。上記第１スケジューリングセルは、上記Ｎ個のスケジューリングセルのうちの１つである。上記第１値は、端末が第１スケジューリングセルにＰＤＣＣＨブラインド検出能力を割り当てる割り当て割合である。
【００５５】
例えば、各スケジューリングセルへの割り当て割合は、セルパラメータに関連し、例えば、スケジューリングセルのセル数Ｎ、スケジューリングセルのセルＩＤ、スケジューリングされたセルのセルＩＤなどに関連する。
【００５６】
一例では、上記第１値は、第１スケジューリングセルがスケジューリング可能なセル数と、ネットワーク機器から端末に対して設定するセル数Ｍとの比である。
【００５７】
例えば、端末に対してｋ個のスケジューリングセルを設定し、各スケジューリングセルがスケジューリングするセル数（自分を含む）がｇｋであると仮定すると、各スケジューリングセルに割り当てられる最大処理能力は、ｍｉｎ｛Ｒｋ，Ｓｋ｝である。ここで、Ｒｋは、実際に設定又はアクティブ化されるセル数Ｔｋに応じて決定され（ｅ．ｇ．
【数２】
2021531695.tif 000007
）、Ｓｋは、端末から報告されたＰＤＣＣＨをブラインド検出する最大処理能力Ｙに応じて決定され（ｅ．ｇ．
【数３】
2021531695.tif 000008
）、Ｐは、シングルセルにおけるＵＥの最大処理能力であり、
【数４】
2021531695.tif 000009
は、各スケジューリングセルへの割り当て割合である。
【００５８】
ステップ３０４において、端末は、Ｎ個のスケジューリングセルのＰＤＣＣＨブラインド検出能力情報に基づいてＰＤＣＣＨを監視する。
【００５９】
なお、本実施例２は、上記の各ステップの前後順を限定しない。上記の各ステップの実行順は、その機能及び内在的な論理によって決められるものであり、即ち、上記ステップの番号は、本発明の実施例の実施プロセスに対しいっさい限定を構成すべきではない。例えば、上記のステップ３０３は、ステップ３０４に先立って実行されてもよいし、ステップ３０４の実行中に実行されてもよいが、本発明は、これに対して限定しない。
【００６０】
なお、本実施例２における実施例１と同一又は類似の記載は、実施例１の記載を参照し、本発明でこれについて繰り返して述べない。
【００６１】
例として、ネットワーク機器は、ＲＲＣによって端末に対して６つのセル（即ち、セルＡ、Ｂ、Ｃ、Ｄ、Ｅ、Ｆ）を設定して活性化し、そのうち、セルＡがプライマリセルであり、セルＢ、Ｃ、Ｄ、Ｅ、Ｆがセカンダリセルであり、且つセルＡがセルＢ、Ｃ、Ｄに対してクロスキャリアスケジューリングをし、セルＥ及びセルＦが自己スケジューリングセルである。
【００６２】
具体的には、ネットワーク機器は、上記セルのセルＩＤ、Ｉｎｄｅｘ、キャリア指示フィールドＣＩＦ（ｃａｒｒｉｅｒ  ｉｎｄｉｃａｔｏｒ  ｆｉｅｌｄ）値等を設定する。セルＡ、Ｂ、Ｃ、Ｄ、Ｅ、Ｆのｉｎｄｅｘは、それぞれ０、１、２、３、４、５であり、セルＡ、Ｂ、Ｃ、Ｄは、セルＡで対応するＣＩＦがそれぞれ０、２、３、１である。ネットワーク機器は、ＣＯＲＥＳＥＴ及び関連する探索空間セットを含め、スケジューリングセル（即ち、セルＡ、Ｅ、Ｆ）のＢＷＰ上のＰＤＣＣＨを設定する。また、上述した６つのセルのＢＷＰのＳＣＳは、いずれも１５ｋＨｚである。
【００６３】
具体的には、上記６つのセルのＢＷＰのＳＣＳがいずれも１５ｋＨｚであるため、上記表２から分かるように、端末は、ＳＣＳが１５ｋＨｚである設定において上記６つのセルで端末の最大ＰＤＣＣＨ  ｃａｎｄｉｄａｔｅ数が４４であり、上記表３から分かるように、ＳＣＳが１５ｋＨｚである設定において上記６つのセルで端末の最大非重複ＣＣＥ数が５６である。端末は、その最大のＣＡブラインド検出処理能力が４であることを報告する。
【００６４】
具体的には、上記内容に基づいて、上記スケジューリングセル（即ち、セルＡ、Ｅ、Ｆ）のＰＤＣＣＨブラインド検出能力情報の決定プロセスは、以下の通りである。
１）セルＡ、Ｅ、Ｆの割り当て割合を決定する。
具体的には、セルＡがスケジューリング可能なセル数ｇ１＝４、セルＥがスケジューリング可能なセル数ｇ２＝１、セルＦがスケジューリング可能なセル数ｇ３＝１であり、それに対応し、セルＡの割り当て割合
【数５】
2021531695.tif 000010
、セルＥの割り当て割合
【数６】
2021531695.tif 000011
セルＦの割り当て割合
【数７】
2021531695.tif 000012
である。
２）セルＡ、Ｅ、Ｆの割り当て割合に基づいて、セルＡ、Ｅ、ＦのＰＤＣＣＨブラインド検出能力情報を決定する。
具体的には、セルＡに対し、対応的に、
【数８】
2021531695.tif 000013
【数９】
2021531695.tif 000014
【数１０】
2021531695.tif 000015
から、セルＡの最大ＰＤＣＣＨ  ｃａｎｄｉｄａｔｅ数ｍｉｎ｛Ｒ１，Ｓ１｝＝１１７が得られる。
セルＥに対し、対応的に、
【数１１】
2021531695.tif 000016
【数１２】
2021531695.tif 000017
から、セルＥの最大ＰＤＣＣＨ  ｃａｎｄｉｄａｔｅ数ｍｉｎ｛Ｒ２，Ｓ２｝＝２９が得られる。
セルＦに対し、対応的に、
【数１３】
2021531695.tif 000018
【数１４】
2021531695.tif 000019
から、セルＦの最大ＰＤＣＣＨ  ｃａｎｄｉｄａｔｅ数ｍｉｎ｛Ｒ３，Ｓ３｝＝２９が得られる。
【００６５】
同様に、上述したセルＡ、Ｅ、Ｆの割り当て割合ではＳＣＳが１５ｋＨｚである設定において上記６つのセルで端末の最大非重複ＣＣＥ数が５６であることに基づいて、セルＡ、Ｅ、Ｆの最大非重複ＣＣＥ数を決定する。
【００６６】
なお、ネットワーク機器は、Ｎ個のスケジューリングセルで端末にＰＤＣＣＨを送信する際に、上記のステップ３０３に示される方式で各スケジューリングセルのＰＤＣＣＨブラインド検出能力情報を決定してもよい。即ち、ネットワーク機器は、ネットワーク側でも上記のステップ３０３の内容を実行し、具体的には、上述した内容（即ちステップ３０３に関する全ての内容）を参照し、ここでは繰り返して述べない。
【００６７】
本発明の実施例に係るＰＤＣＣＨ監視方法において、Ｍ個のセルのサブキャリア間隔が同一であるシナリオで、ネットワーク機器が、端末に対してＮ個のスケジューリングセル及びＸ個のスケジューリングされたセルを含むＭ個のセルのセルパラメータを設定することによって、端末が、該セルパラメータに基づいて、端末が各スケジューリングセルでＰＤＣＣＨをブラインド検出する最大処理能力（即ち、各スケジューリングセルのＰＤＣＣＨブラインド検出能力情報）を決定することができ、端末の処理能力を活用し、ＰＤＣＣＨに対する端末の監視効率を向上させる。
実施例３
【００６８】
図４は、本発明の実施例に係る別のＰＤＣＣＨ監視方法のフローチャートを示す。本発明の実施例は、あらゆるクロスキャリアスケジューリングシナリオ（即ち、Ｍ個のセルのサブキャリア間隔が同一であるシナリオのみならず、Ｍ個のセルのサブキャリア間隔が異なるシナリオにも適用する）に適用可能である。図４に示すように、該ＰＤＣＣＨ監視方法は、以下のステップを含む。
【００６９】
ステップ４０１において、ネットワーク機器は、端末に対してＭ個のセルのセルパラメータを設定する。
【００７０】
本発明の実施例において、上記セルパラメータは、Ｎ個のスケジューリングセルの第１優先度情報及び／又はＭ個のセルの第２優先度情報を更に含む。
【００７１】
ステップ４０２において、ネットワーク機器は、Ｎ個のスケジューリングセルで端末にＰＤＣＣＨを送信する。
【００７２】
ステップ４０３において、端末は、第１優先度情報／又は第２優先度情報に応じて、高い方から順に、スケジューリングセル毎にＰＤＣＣＨブラインド検出能力及び／又は探索空間セット及び／又はＰＤＣＣＨ  ｃａｎｄｉｄａｔｅを割り当て、Ｎ個のスケジューリングセルのＰＤＣＣＨブラインド検出能力情報を決定する。
【００７３】
ステップ４０４において、端末は、Ｎ個のスケジューリングセルのＰＤＣＣＨブラインド検出能力情報に基づいてＰＤＣＣＨを監視する。
【００７４】
なお、本発明の実施例は、上記の各ステップの前後順を限定しない。上記の各ステップの実行順は、その機能及び内在的な論理によって決められるものであり、即ち、上記ステップの番号は、本発明の実施例の実施プロセスに対しいっさい限定を構成すべきではない。例えば、上記のステップ４０３は、ステップ４０４に先立って実行されてもよいし、ステップ４０４の実行中に実行されてもよいが、本発明は、これに対して限定しない。
【００７５】
なお、本実施例３における実施例１及び／又は実施例２と同一又は類似の記載は、上記実施例１又は２における記載を参照し、本発明でこれについて繰り返して述べない。
【００７６】
例えば、端末は、スケジューリングセル毎にＰＤＣＣＨブラインド検出能力を割り当てる際に、優先度に従ってＰＤＣＣＨブラインド検出能力を割り当てる。例えば、高い優先度のセルの処理要件を優先的に満たし、又は、一部セル（例えば、スケジューリングセル、プライマリセル等）に必要な最大処理能力を優先的に割り当て、又は、スケジューリングセルのセルＩＤの順序（例えば、小さい順）に従ってセルに必要な最大処理能力を割り当て、又は、スケジューリングセルがスケジューリング可能なセル数に従ってソートして各セルに必要な最大処理能力を割り当て、又は、スケジューリングされたセルのセルＩＤ又はＣＩＦ値の順序（例えば、小さい順）に従って各セルに必要な最大処理能力を割り当てる。
【００７７】
例として、ネットワーク機器は、ＲＲＣによって端末に対し６つのセル（即ち、セルＡ、Ｂ、Ｃ、Ｄ、Ｅ、Ｆ）を設定して活性化し、そのうち、セルＡがプライマリセルであり、セルＢ、Ｃ、Ｄ、Ｅ、Ｆがセカンダリセルであり、且つセルＢがセルＣ、Ｄ、Ｅに対してクロスキャリアスケジューリングをし、セルＡ及びセルＦが自己スケジューリングセルである。具体的には、ネットワーク機器は、上記セルのセルＩＤ、Ｉｎｄｅｘ、キャリア指示フィールドＣＩＦ（ｃａｒｒｉｅｒ  ｉｎｄｉｃａｔｏｒ  ｆｉｅｌｄ）値等を設定する。セルＡ、Ｂ、Ｃ、Ｄ、Ｅ、Ｆのｉｎｄｅｘは、それぞれ０、１、２、３、４、５であり、セルＢ、Ｃ、Ｄ、Ｅは、セルＢにおいて対応するＣＩＦがそれぞれ０、２、３、１である。
【００７８】
例えば、端末は、セルＡ、Ｂ、Ｆのｉｎｄｅｘ（０、４、５）の順にセルに必要な最大処理能力を割り当てる。又は、端末は、セルＢ、Ａ、Ｆのスケジューリングセル数（４、１、１）の順にセルに必要な最大処理能力を割り当てる。又は、端末ＵＥは、セルのＣＩＦの値の順にセルに必要な最大処理能力を割り当てる。
【００７９】
なお、ネットワーク機器は、Ｎ個のスケジューリングセルで端末にＰＤＣＣＨを送信する場合、上述したステップ４０３に示されるように、スケジューリングセル毎のＰＤＣＣＨブラインド検出能力情報を決定してもよい。即ち、ネットワーク機器は、ネットワーク側で上述したステップ４０３における内容を実行してもよく、具体的には、上記内容（即ち、ステップ４０３に関する全ての内容）を参照してもよく、ここでその説明が省略される。
【００８０】
本発明の実施例に係るＰＤＣＣＨ監視方法において、ネットワーク機器が、クロスキャリアスケジューリング過程で端末に対してＮ個のスケジューリングセル及びＸ個のスケジューリングされたセルを含むＭ個のセルのセルパラメータを設定することによって、端末が、該セルパラメータの優先度情報に基づいて、高い優先度のセルの処理要件を優先的に満たすことによって、スケジューリングセル毎に端末がＰＤＣＣＨをブラインド検出する最大処理能力（即ち、スケジューリングセル毎のＰＤＣＣＨブラインド検出能力情報）を決定することができ、端末の処理能力を十分に活用して、ＰＤＣＣＨに対する端末の監視効率を向上させる。
実施例４
【００８１】
図５は、本発明の実施例に係る別のＰＤＣＣＨ監視方法のフローチャートを示す。図５に示すように、本発明の実施例は、主にＭ個のセルのサブキャリア間隔が異なるシナリオに対するものである。該シナリオにおいて、該ＰＤＣＣＨ監視方法は、以下のステップを含む。
【００８２】
ステップ５０１において、ネットワーク機器は、端末に対してＭ個のセルのセルパラメータを設定する。
【００８３】
ステップ５０２において、ネットワーク機器は、Ｎ個のスケジューリングセルで端末にＰＤＣＣＨを送信する。
【００８４】
ステップ５０３において、Ｍ個のセルのサブキャリア間隔が異なる場合、端末は、第１サブキャリア間隔セットのうちの一部又は全部の第１サブキャリア間隔毎に対応するセル群のＰＤＣＣＨブラインド検出能力情報に基づいて、スケジューリングセル毎にＰＤＣＣＨブラインド検出能力をそれぞれ割り当て、スケジューリングセル毎のＰＤＣＣＨブラインド検出能力情報を決定する。
【００８５】
本発明の実施例において、上記第１サブキャリア間隔セットは、Ｎ個のスケジューリングセルに対応する全てのサブキャリア間隔、又は、Ｍ個のセルに対応する全てのサブキャリア間隔を含む。
【００８６】
本発明の実施例において、各セル群に含まれる全てのセルのサブキャリア間隔は、同じであり、異なるセル群に対応する第１サブキャリア間隔は、異なり、セル群毎のＰＤＣＣＨブラインド検出能力情報は、該セル群のセルパラメータに関連する。
【００８７】
例えば、第１サブキャリア間隔セットに、Ｎ個のスケジューリングセルに対応する全てのサブキャリア間隔が含まれると、第１サブキャリア間隔μに対応するセル群の最大ブラインド検出能力
【数１５】
2021531695.tif 000020
である。Ｎは、ネットワークから設定されたスケジューリングセル数であり、
【数１６】
2021531695.tif 000021
は、第１サブキャリア間隔
【数１７】
2021531695.tif 000022
に対応するセル群のセル数であり、Ｐは、シングルセルで端末の最大処理能力であり、Ｙは、端末から報告される最大のＣＡブラインド検出処理能力である。
【００８８】
ステップ５０４において、端末は、Ｎ個のスケジューリングセルのＰＤＣＣＨブラインド検出能力情報に基づいてＰＤＣＣＨを監視する。
【００８９】
本発明の実施例は、グループ分け方式の相違に応じて、各スケジューリングセルのＰＤＣＣＨブラインド検出能力情報を以下の２種類の実現形態で決定する。
可能な実現形態１
【００９０】
本実現形態では、端末は、主に、Ｎ個のスケジューリングセルのサブキャリア間隔に基づいてＮ個のスケジューリングセルをグループ分けし、セル群毎の割り当て割合に従って、セル群毎のＰＤＣＣＨブラインド検出能力情報を決定し、次に、セル群毎のＰＤＣＣＨブラインド検出能力情報に基づいて、群内でセル毎にＰＤＣＣＨブラインド検出能力を割り当てる。
【００９１】
例えば、該方法は、以下のステップを更に含む。ステップ５０３ａにおいて、第１サブキャリア間隔セットに、Ｎ個のスケジューリングセルに対応する全てのサブキャリア間隔が含まれる場合、端末は、第１セル群の第３ＰＤＣＣＨブラインド検出能力情報候補及び第４ＰＤＣＣＨブラインド検出能力情報候補を取得し、第３ＰＤＣＣＨブラインド検出能力情報候補及び第４ＰＤＣＣＨブラインド検出能力情報候補のうち最小値を、第１セル群のＰＤＣＣＨブラインド検出能力情報とする。
【００９２】
本発明の実施例において、上記第３ＰＤＣＣＨブラインド検出能力情報候補は、第１セル群のスケジューリング可能セル数及び第３情報の少なくとも１つに関連し、上記第４ＰＤＣＣＨブラインド検出能力情報候補は、第１情報、第２値及び第３情報の少なくとも１つに関連する。
【００９３】
ここで、上記第１情報は、端末がＰＤＣＣＨをブラインド検出する最大処理能力を示し、上記第３情報は、第１セル群に対応するサブキャリア間隔の設定において、端末がシングルセルでＰＤＣＣＨをブラインド検出する最大処理能力、例えば表２におけるＰＤＣＣＨ  ｃａｎｄｉｄａｔｅ数及び表３におけるＣＣＥ数を示し、上記第２値は、端末が第１セル群にＰＤＣＣＨブラインド検出能力を割り当てる割り当て割合であり、上記第１セル群は、全セル群のうちの１つの群である。
【００９４】
一例において、上記第２値は、第１セル群のスケジューリング可能なセル数と、全てのセル群のスケジューリング可能なセル数の合計との比であり、第１セル群のセル数と、全セル群のセル数の合計との比であってもよい。
【００９５】
例として、ネットワーク機器は、ＲＲＣによってＵＥに対して７つのセル（即ち、セルＡ、Ｂ、Ｃ、Ｄ、Ｅ、Ｆ、Ｇ）を設定して活性化し、そのうち、セルＡがプライマリセルであり、セルＢ、Ｃ、Ｄ、Ｅ、Ｆ、Ｇがセカンダリセルであり、且つセルＡがセルＢに対してクロスキャリアスケジューリングをし、セルＣがセルＤに対してクロスキャリアスケジューリングをし、セルＥ、Ｆ、Ｇが自己スケジューリングセルである。
【００９６】
具体的には、ネットワーク機器は、上記セルのセルＩＤ、Ｉｎｄｅｘ、ＣＩＦ値等を設定する。セルＡ、Ｂ、Ｃ、Ｄ、Ｅ、Ｆ、Ｇのｉｎｄｅｘは、それぞれ、０、１、２、３、４、５、６である。ネットワーク機器は、ＣＯＲＥＳＥＴ及び関連する探索空間セットを含め、スケジューリングセル（即ち、セルＡ、Ｃ、Ｅ、Ｆ、Ｇ）のＢＷＰ上のＰＤＣＣＨを設定する。ここで、セルＡのＢＷＰのＳＣＳは、１５ｋＨｚであり、セルＢのＳＣＳは、３０ｋＨｚであり、セルＣのＳＣＳは、１２０ｋＨｚであり、セルＤのＳＣＳは、６０ｋＨｚであり、セルＥのＳＣＳは、１５ｋＨｚであり、セルＦのＳＣＳは、６０ｋＨｚであり、セルＧのＳＣＳは、３０ｋＨｚである。端末は、その最大のＣＡブラインド検出処理能力が４であることを報告する。
【００９７】
実現形態１
具体的には、上記内容に基づいて、上記スケジューリングセル（即ち、セルＡ、Ｃ、Ｅ、Ｆ、Ｇ）のＰＤＣＣＨブラインド検出能力情報の決定プロセスは、以下の通りである。
１）端末は、スケジューリングセルのＳＣＳ（即ちセルＡ、Ｃ、Ｅ、Ｆ、ＧのＳＣＳ）に従ってスケジューリングセルをグループ分けする。
具体的には、ＳＣＳ＝１５ｋＨｚのセル群１（Ａ、Ｅ）の数は、Ｘ０＝２であり、ＳＣＳ＝３０ｋＨｚのセル群２（Ｇ）の数は、Ｘ１＝１であり、ＳＣＳ＝６０ｋＨｚのセル群３（Ｆ）の数は、Ｘ２＝１であり、ＳＣＳ＝１２０ｋＨｚのセル群４（Ｃ）の数は、Ｘ３＝１である。
２）各セル群の割り当て割合を決定する。
ＳＣＳ＝１５ｋＨｚのセル群１の割り当て割合は、
【数１８】
2021531695.tif 000023
であり、ＳＣＳ＝３０ｋＨｚのセル群２の割り当て割合は、
【数１９】
2021531695.tif 000024
であり、ＳＣＳ＝６０ｋＨｚのセル群３の割り当て割合は、
【数２０】
2021531695.tif 000025
であり、ＳＣＳ＝１２０ｋＨｚのセル群４の割り当て割合は、
【数２１】
2021531695.tif 000026
である。
３）セル群毎の割り当て割合に基づいて、セル群毎のＰＤＣＣＨブラインド検出能力情報を決定する。
具体的には、ＳＣＳ＝１５ｋＨｚのセル群１に対し、対応的に、
【数２２】
2021531695.tif 000027
【数２３】
2021531695.tif 000028
から、ＳＣＳ＝１５ｋＨｚのセル群１の最大ＰＤＣＣＨ  ｃａｎｄｉｄａｔｅ数ｍｉｎ｛Ｂ０，Ｄ０｝＝７０が得られる。
ＳＣＳ＝３０ｋＨｚのセル群２に対し、対応的に、
【数２４】
2021531695.tif 000029
【数２５】
2021531695.tif 000030
から、ＳＣＳ＝３０ｋＨｚのセル群２の最大ＰＤＣＣＨ  ｃａｎｄｉｄａｔｅ数ｍｉｎ｛Ｂ１，Ｄ１｝＝２８が得られる。
ＳＣＳ＝６０ｋＨｚのセル群３に対し、対応的に、
【数２６】
2021531695.tif 000031
【数２７】
2021531695.tif 000032
から、ＳＣＳ＝６０ｋＨｚのセル群３の最大ＰＤＣＣＨ  ｃａｎｄｉｄａｔｅ数ｍｉｎ｛Ｂ２，Ｄ２｝＝１７が得られる。
ＳＣＳ＝１２０ｋＨｚのセル群４に対し、対応的に、
【数２８】
2021531695.tif 000033
【数２９】
2021531695.tif 000034
から、ＳＣＳ＝１２０ｋＨｚのセル群４の最大ＰＤＣＣＨ  ｃａｎｄｉｄａｔｅ数ｍｉｎ｛Ｂ３，Ｄ３｝＝１６が得られる。
４）複数のセルを有する群（例えばセル群１）に対して、更に群内でスケジューリングセルの最大ＰＤＣＣＨ  ｃａｎｄｉｄａｔｅ数を割り当て又は決定し、例えば、平均的に割り当て、又は比例的に割り当て、又は前述の実施例２に対応する方式に従って割り当てるが、本発明は、これについて限定しない。
同様に、セル群毎の割り当て割合に基づいて、各セルの最大非重複ＣＣＥ数を決定する。
【００９８】
実現形態２
具体的には、上記内容に基づいて、上記スケジューリングセル（即ち、セルＡ、Ｃ、Ｅ、Ｆ、Ｇ）のＰＤＣＣＨブラインド検出能力情報の決定プロセスは、以下の通りである。
１）端末は、スケジューリングセルのＳＣＳ（即ちセルＡ、Ｃ、Ｅ、Ｆ、ＧのＳＣＳ）に従ってセルをグループ分けする。
具体的には、ＳＣＳ＝１５ｋＨｚのセル群１（Ａ、Ｅ）の数は、Ｘ０＝（２＋１）＝３であり、ＳＣＳ＝３０ｋＨｚのセル群２の（Ｇ）の数は、Ｘ１＝１であり、ＳＣＳ＝６０ｋＨｚのセル群３（Ｆ）の数は、Ｘ２＝１であり、ＳＣＳ＝１２０ｋＨｚのセル群４（Ｃ）の数は、Ｘ３＝１＋１＝２である。
２）各セル群の割り当て割合を決定する。
ＳＣＳ＝１５ｋＨｚのセル群１の割り当て割合は、
【数３０】
2021531695.tif 000035
であり、ＳＣＳ＝３０ｋＨｚのセル群２の割り当て割合は、
【数３１】
2021531695.tif 000036
であり、ＳＣＳ＝６０ｋＨｚのセル群３の割り当て割合は、
【数３２】
2021531695.tif 000037
であり、ＳＣＳ＝１２０ｋＨｚのセル群４の割り当て割合は、
【数３３】
2021531695.tif 000038
である。
３）セル群毎の割り当て割合に基づいて、セル群毎のＰＤＣＣＨブラインド検出能力情報を決定する。
具体的には、ＳＣＳ＝１５ｋＨｚのセル群１に対し、対応的に、
【数３４】
2021531695.tif 000039
【数３５】
2021531695.tif 000040
から、ＳＣＳ＝１５ｋＨｚのセル群１の最大ＰＤＣＣＨ  ｃａｎｄｉｄａｔｅ数ｍｉｎ｛Ｂ０，Ｄ０｝＝７５が得られる。
ＳＣＳ＝３０ｋＨｚのセル群２に対し、対応的に、
【数３６】
2021531695.tif 000041
【数３７】
2021531695.tif 000042
から、ＳＣＳ＝３０ｋＨｚのセル群２の最大ＰＤＣＣＨ  ｃａｎｄｉｄａｔｅ数ｍｉｎ｛Ｂ１，Ｄ１｝＝２０が得られる。
ＳＣＳ＝６０ｋＨｚのセル群３に対し、対応的に、
【数３８】
2021531695.tif 000043
【数３９】
2021531695.tif 000044
から、ＳＣＳ＝６０ｋＨｚのセル群３の最大ＰＤＣＣＨ  ｃａｎｄｉｄａｔｅ数ｍｉｎ｛Ｂ２，Ｄ２｝＝１２が得られる。
ＳＣＳ＝１２０ｋＨｚのセル群４に対し、対応的に、
【数４０】
2021531695.tif 000045
【数４１】
2021531695.tif 000046
から、ＳＣＳ＝１２０ｋＨｚのセル群４の最大ＰＤＣＣＨ  ｃａｎｄｉｄａｔｅ数ｍｉｎ｛Ｂ３，Ｄ３｝＝２２が得られる。
４）複数のセルを有する群（例えばセル群１）に対して、更に群内でスケジューリングセルの最大ＰＤＣＣＨ  ｃａｎｄｉｄａｔｅ数を割り当て又は決定し、例えば、平均的に割り当て、又は比例的に割り当て、又は前述の実施例２又は実施例３に対応する方式に従って割り当てるが、本発明は、これについて限定しない。
同様に、セル群毎の割り当て割合に基づいて、各セルの最大非重複ＣＣＥ数を決定する。
可能な実現形態２
【００９９】
本実現形態では、端末は、主に、Ｍ個のセルのサブキャリア間隔に基づいてＭ個のセルをグループ分けし、セル群毎にＰＤＣＣＨブラインド検出能力情報を割り当て、次に、セル群毎のＰＤＣＣＨブラインド検出能力情報に基づいて、群内でセル毎にＰＤＣＣＨブラインド検出能力を割り当てる。
【０１００】
例えば、該方法は、以下のステップを更に含む。ステップ５０３ｂ１において、第１サブキャリア間隔セットに、Ｍ個のセルに対応する全てのサブキャリア間隔が含まれる場合、端末は、第２セル群の第５ＰＤＣＣＨブラインド検出能力情報候補を取得し、前記第５ＰＤＣＣＨブラインド検出能力情報候補と第２セル群に対応する第４情報とのうちの最小値を、第２セル群のＰＤＣＣＨブラインド検出能力情報とする。
【０１０１】
本発明の実施例において、上記第５ＰＤＣＣＨブラインド検出能力情報候補は、第２セル群に含まれるセル数、第１情報、及び端末に対して設定されるセル数Ｍの少なくとも１つに関連する。ここで、第１情報は、端末がＰＤＣＣＨをブラインド検出する最大処理能力を示し、第４情報は、第２セル群に対応するサブキャリア間隔の設定において、端末がシングルセルでＰＤＣＣＨをブラインド検出する最大処理能力を示し、上記第２セル群は、全セル群のうちの１つの群である。
【０１０２】
例えば、端末がｋ個のスケジューリングセルを設定したと仮定し、各セルがスケジューリング可能なセル数（自分を含む）をｇｋ（
【数４２】
2021531695.tif 000047
）とし、設定された全セルのＳＣＳに応じて全セルをグループ分けし、群毎のＰＤＣＣＨブラインド検出能力情報
【数４３】
2021531695.tif 000048
を決定する。ここで、
【数４４】
2021531695.tif 000049
は、ＳＣＳがμである場合にプロトコルで規定されるシングルセルに許容される最大処理能力であり、
【数４５】
2021531695.tif 000050
【数４６】
2021531695.tif 000051
は、ＳＣＳがμである場合にプロトコルで規定されるシングルセルに許容される最大処理能力であり、
【数４７】
2021531695.tif 000052
は、端末から報告されるＰＤＣＣＨをブラインド検出する最大処理能力Ｙ及び／又は実際に設定又はアクティブ化されたセル数から決められる。
【０１０３】
任意選択で、本発明の実施例において、第１サブキャリア間隔セットに、Ｍ個のセルに対応する全てのサブキャリア間隔が含まれる場合、上記ステップ５０３は、具体的には、以下のステップを含む。ステップ５０３ｂ２において、端末は、第２スケジューリングセルに対応する各スケジューリング可能なセルの在圏セル群のＰＤＣＣＨブラインド検出能力情報及び各スケジューリング可能なセルに対応する第３値に基づいて、第２スケジューリングセルにＰＤＣＣＨブラインド検出能力を割り当て、第２スケジューリングセルのＰＤＣＣＨブラインド検出能力情報を決定する。
【０１０４】
ここで、上記第３値は、端末がスケジューリング可能なセルにＰＤＣＣＨブラインド検出能力を割り当てる割り当て割合であり、第２スケジューリングセルは、Ｎ個のスケジューリングセルのうちの１つである。
【０１０５】
更に、任意選択で、上記ステップ５０３ｂ２は、具体的には、以下のステップを含む。ステップ５０３ｂ２１において、端末は、第２スケジューリングセルに対応する各スケジューリング可能なセルの在圏セル群のＰＤＣＣＨブラインド検出能力情報と、各スケジューリング可能なセルに対応するサブキャリア間隔と、第２スケジューリングセルに対応するサブキャリア間隔と、第１式とに基づいて、第２スケジューリングセルのＰＤＣＣＨブラインド検出能力情報を決定する。
【０１０６】
ここで、上記第１式は、
【数４８】
2021531695.tif 000053
であり、
【数４９】
2021531695.tif 000054
は、第２スケジューリングセルのｊ番目のスケジューリング可能なセルの在圏セル群のＰＤＣＣＨブラインド検出能力情報であり、
【数５０】
2021531695.tif 000055
は、ｊ番目のスケジューリング可能なセルに対応するサブキャリア間隔に基づいて決定され、
【数５１】
2021531695.tif 000056
は、第２スケジューリングセルに対応するサブキャリア間隔に基づいて決定される。
【０１０７】
例えば、ネットワーク機器は、ＲＲＣによって端末に対し６つのセル（即ち、セルＡ、Ｂ、Ｃ、Ｄ、Ｅ、Ｆ）を設定して活性化し、そのうち、セルＡがプライマリセルであり、セルＢ、Ｃ、Ｄ、Ｅ、Ｆがセカンダリセルであり、且つセルＡがセルＢに対してクロスキャリアスケジューリングをし、セルＣがセルＤに対してクロスキャリアスケジューリングをし、セルＥ、セルＦが自己スケジューリングセルである。
【０１０８】
具体的には、ネットワーク機器は、上記セルのセルＩＤ、Ｉｎｄｅｘ、ＣＩＦ値等を設定する。セルＡ、Ｂ、Ｃ、Ｄ、Ｅ、Ｆのｉｎｄｅｘは、それぞれ０、１、２、３、４、５である。ネットワーク機器は、ＣＯＲＥＳＥＴ及び関連する探索空間セットを含め、スケジューリングセル（即ち、セルＡ、Ｄ、Ｅ、Ｆ）のＢＷＰ上のＰＤＣＣＨを設定する。ここで、セルＡのＢＷＰのＳＣＳは、１５ｋＨｚであり、セルＢのＳＣＳは、３０ｋＨｚであり、セルＣのＳＣＳは、１２０ｋＨｚであり、セルＤのＳＣＳは、６０ｋＨｚであり、セルＥのＳＣＳは、１５ｋＨｚであり、セルＦのＳＣＳは、６０ｋＨｚである。端末は、その最大のＣＡブラインド検出処理能力が４であることを報告する。
【０１０９】
具体的には、上記内容に基づいて、上記スケジューリングセル（即ちセルＡ、Ｄ、Ｅ、Ｆ）のＰＤＣＣＨブラインド検出能力情報の決定プロセスは、以下の通りである。
１）端末は、全セルのＳＣＳに従って６つのセルをグループ分けする。
具体的には、ＳＣＳ＝１５ｋＨｚのセル群１（Ａ、Ｅ）の数は、Ｘ０＝２であり、ＳＣＳ＝３０ｋＨｚのセル群２（Ｂ）の数は、Ｘ１＝１であり、ＳＣＳ＝６０ｋＨｚのセル群３（Ｄ、Ｆ）の数は、Ｘ２＝２であり、ＳＣＳ＝１２０ｋＨｚのセル群４（Ｃ）の数は、Ｘ３＝１である。
２）異なるＳＣＳに応じて
【数５２】
2021531695.tif 000057
を決定する。セル群１の
【数５３】
2021531695.tif 000058
セル群２の
【数５４】
2021531695.tif 000059
セル群２の
【数５５】
2021531695.tif 000060
セル群４の
【数５６】
2021531695.tif 000061
である。
３）セル群毎に対応する
【数５７】
2021531695.tif 000062
を算出する。
具体的には、まず、Ｙ及び実際に設定又はアクティブ化されたセル数Ｔ＝６に基づいて
【数５８】
2021531695.tif 000063
を算出する。
例えば、簡単に等比例でスケールする。セル群１の
【数５９】
2021531695.tif 000064
セル群２の
【数６０】
2021531695.tif 000065
セル群３の
【数６１】
2021531695.tif 000066
セル群４の
【数６２】
2021531695.tif 000067
である。
次に、セル群毎に
【数６３】
2021531695.tif 000068
を計算して、セル群１の
【数６４】
2021531695.tif 000069
セル群２の
【数６５】
2021531695.tif 000070
セル群３の
【数６６】
2021531695.tif 000071
セル群４の
【数６７】
2021531695.tif 000072
が得られる。
４）セル群毎に対応する
【数６８】
2021531695.tif 000073
に基づいて、スケジューリングセル毎のＰＤＣＣＨブラインド検出能力情報を決定する。
スケジューリングセルＡに対し、該スケジューリングセルＡに対応するサブキャリア間隔が１５ｋＨｚであり、対応するμ＝０であり、該スケジューリングセルＡに対応するスケジューリングされたセルＢに対応するサブキャリア間隔が３０ｋＨｚであり、対応するμ＝１である。
【数６９】
2021531695.tif 000074
端末がスケジューリングセルＡに割り当てる最大ＰＤＣＣＨ  ｃａｎｄｉｄａｔｅ数は、
【数７０】
2021531695.tif 000075
であり、
【数７１】
2021531695.tif 000076
スケジューリングセルＣに対し、該スケジューリングセルＣに対応するサブキャリア間隔が１２０ｋＨｚであり、対応するμ＝３であり、該スケジューリングセルＣに対応するスケジューリングされたセルＤに対応するサブキャリア間隔が６０ｋＨｚであり、対応するμ＝２である。
【数７２】
2021531695.tif 000077
端末がスケジューリングセルＣに割り当てる最大ＰＤＣＣＨ  ｃａｎｄｉｄａｔｅは、
【数７３】
2021531695.tif 000078
である。
同様に、スケジューリングセルＥに対する最大ＰＤＣＣＨ  ｃａｎｄｉｄａｔｅは、
【数７４】
2021531695.tif 000079
である。
同様に、スケジューリングセルＦに対する最大ＰＤＣＣＨ  ｃａｎｄｉｄａｔｅは、
【数７５】
2021531695.tif 000080
である。
同様に、スケジューリングセル毎の最大非重複ＣＣＥ数を得ることができる。
【０１１０】
なお、本実施例４は、上記の各ステップの前後順を限定しない。上記の各ステップの実行順は、その機能及び内在的な論理によって決められるものであり、即ち、上記ステップの番号は、本実施例４の実施プロセスに対しいっさい限定を構成すべきではない。例えば、上記のステップ５０２は、ステップ５０３に先立って実行されてもよいし、ステップ５０３の実行中に実行されてもよいが、本発明は、これに対して限定しない。
【０１１１】
なお、本実施例４における実施例１〜３と同一又は類似の記載は、実施例１〜３における記載を参照し、本発明でこれについて繰り返して述べない。
【０１１２】
なお、ネットワーク機器は、Ｎ個のスケジューリングセルで端末にＰＤＣＣＨを送信する際に、上記のステップ５０３に示される方式で各スケジューリングセルのＰＤＣＣＨブラインド検出能力情報を決定してもよい。即ち、ネットワーク機器は、ネットワーク側でも上記のステップ５０３の内容を実行し、具体的には、上述した内容（即ちステップ３０３に関する全ての内容）を参照し、ここでは繰り返して述べない。
【０１１３】
本発明の実施例に係るＰＤＣＣＨ監視方法において、Ｍ個のセルのサブキャリア間隔が異なるシナリオで、端末がセルをグループ分けすることで、セル群毎に端末がＰＤＣＣＨをブラインド検出する最大処理能力（即ちセル群毎のＰＤＣＣＨブラインド検出能力情報）を決定し、更に郡内で能力を割り当て、該セル群内の各スケジューリングセルで端末がＰＤＣＣＨをブラインド検出する最大処理能力を決定し、端末の処理能力を活用し、ＰＤＣＣＨに対する端末の監視効率を向上させる。
実施例５
【０１１４】
図６は、本発明の実施例に係る別のＰＤＣＣＨ監視方法のフローチャートを示す。本発明の実施例は、主に、Ｎ個のスケジューリングセルのＰＤＣＣＨブラインド検出能力情報が、端末が単位時間内にＮ個のスケジューリングセルでＰＤＣＣＨをブラインド検出する最大処理能力を示すシナリオに対するものである。図６に示すように、該ＰＤＣＣＨ監視方法は、以下のステップを含む。
【０１１５】
ステップ６０１において、ネットワーク機器は、端末に対してＭ個のセルのセルパラメータを設定する。
【０１１６】
ステップ６０２において、ネットワーク機器は、Ｎ個のスケジューリングセルで端末にＰＤＣＣＨを送信する。
【０１１７】
ステップ６０３において、端末は、Ｎ個の第１スケジューリングセルの第６ＰＤＣＣＨブラインド検出能力情報候補及び第７ＰＤＣＣＨブラインド検出能力情報候補を取得し、第６ＰＤＣＣＨブラインド検出能力情報候補及び第７ＰＤＣＣＨブラインド検出能力情報候補のうちの最小値を、Ｎ個のスケジューリングセルのＰＤＣＣＨブラインド検出能力情報とする。
【０１１８】
本発明の実施例において、上記第６ＰＤＣＣＨブラインド検出能力情報候補は、第１情報、及び、スケジューリングセル及び／又はスケジューリングされたセル毎のサブキャリア間隔に対応する第２情報の少なくとも１つに関連し、上記第７ＰＤＣＣＨブラインド検出能力情報候補は、端末に対して設定されるセル数Ｍ及び第２情報の少なくとも１つに関連する。
【０１１９】
ここで、上記第１情報は、端末がＰＤＣＣＨをブラインド検出する最大処理能力を示し、上記第２情報は、対応するスケジューリングセル又はスケジューリングされたセルに対応するサブキャリア間隔の設定において、端末がシングルセルでＰＤＣＣＨをブラインド検出する最大処理能力を示す。
【０１２０】
ステップ６０４において、端末は、Ｎ個のスケジューリングセルのＰＤＣＣＨブラインド検出能力情報に基づいてＰＤＣＣＨを監視する。
【０１２１】
なお、本実施例５は、上記の各ステップの前後順を限定しない。上記の各ステップの実行順は、その機能及び内在的な論理によって決められるものであり、即ち、上記ステップの番号は、本実施例５の実施プロセスに対しいっさい限定を構成すべきではない。例えば、上記のステップ６０３は、ステップ６０４に先立って実行されてもよいし、ステップ６０４の実行中に実行されてもよいが、本発明は、これに対して限定しない。
【０１２２】
なお、本実施例５における実施例１〜４と同一又は類似の記載は、実施例１〜４における記載を参照し、本発明でこれについて繰り返して述べない。
【０１２３】
なお、本発明の実施例は、あらゆるクロスキャリアスケジューリングシナリオ（即ち、Ｍ個のセルのサブキャリア間隔が同一であるシナリオのみならず、Ｍ個のセルのサブキャリア間隔が異なるシナリオにも適用する）に適用可能である。
【０１２４】
なお、ネットワーク機器は、Ｎ個のスケジューリングセルで端末にＰＤＣＣＨを送信する際に、上記のステップ６０３に示される方式で各スケジューリングセルのＰＤＣＣＨブラインド検出能力情報を決定してもよい。即ち、ネットワーク機器は、ネットワーク側でも上記のステップ６０３の内容を実行し、具体的には、上述した内容（即ちステップ６０３に関する全ての内容）を参照し、ここでは繰り返して述べない。
【０１２５】
本発明の実施例に係るＰＤＣＣＨ監視方法において、ネットワーク機器が、クロスキャリアスケジューリング過程で端末に対してＮ個のスケジューリングセル及びＸ個のスケジューリングされたセルを含むＭ個のセルのセルパラメータを設定することによって、端末が、該セルパラメータに基づいて、Ｎ個のスケジューリングセルで端末がＰＤＣＣＨをブラインド検出する最大処理能力（即ち、Ｎ個のスケジューリングセルの全体的ＰＤＣＣＨブラインド検出能力情報）を決定することができ、端末の処理能力を活用し、ＰＤＣＣＨに対する端末の監視効率を向上させる。
実施例６
【０１２６】
図７は、本発明の実施例に係る別のＰＤＣＣＨ監視方法の別のフローチャートを示す。図７に示すように、該ＰＤＣＣＨ監視方法は、以下のステップを含む。
【０１２７】
ステップ７０１において、端末は、第５情報を取得する。
【０１２８】
ここで、上記第５情報は、前記端末が前記Ｎ個のスケジューリングセルの全ての探索空間セットでＰＤＣＣＨを監視する数を示す。
【０１２９】
任意選択で、本発明の実施例において、該方法は、更に以下のステップを含む。ステップ７０１ａにおいて、端末は、ネットワーク機器から送信された設定情報を受信する。
【０１３０】
ここで、上記第５情報は、該設定情報に関連する。即ち、端末は、該設定情報から上記第５情報を決定することができる。上記設定情報は、スケジューリングセル毎に対応するＰＤＣＣＨブラインド検出の時間周波数領域リソース情報、スケジューリングセル毎に関連する探索空間セット及び探索空間セット毎に対応する第４情報の少なくとも１つを含む。ここで、上記第４情報は、端末が前記探索空間セットでＰＤＣＣＨを監視する数を示す。
【０１３１】
ステップ７０２において、端末は、第５情報に基づいて、端末がＮ個のスケジューリングセルの全ての探索空間セットでＰＤＣＣＨを監視する数が、端末がＰＤＣＣＨをブラインド検出する最大処理能力を超えると決定される場合、第３スケジューリングセルの一部の探索空間セットを割り当てないか、又は、第３スケジューリングセルの一部の探索空間セットに一部のＰＤＣＣＨブラインド検出能力を割り当てる。
【０１３２】
ここで、上記第３スケジューリングセルは、Ｎ個のスケジューリングセルのうちの１つであり、且つ第３スケジューリングセルは、少なくとも１つのスケジューリングされたセルに対応する。
【０１３３】
本発明の実施例において、スケジューリングセルが他のセルに対してクロスキャリアスケジューリングをするように設定された場合（即ち、スケジューリングセルが少なくとも１つのスケジューリングされたセルに対応する場合）、該スケジューリングセルは、オーバーブッキング（ｏｖｅｒｂｏｏｋｉｎｇ）が可能である。即ち、設定された探索空間セットの処理能力が、端末がＰＤＣＣＨをブラインド検出する最大処理能力を超えることは、許容される。クロスキャリアスケジューリングが設定されないセカンダリセルではオーバーブッキングが許容されず、即ち、設定された探索空間セットの処理能力が、最大処理能力を超えることができない。
【０１３４】
例えば、端末が実際に探索空間セットを割り当てる際に、各探索空間セットに対応する以下の少なくとも１つの情報（例えば、探索空間セットのＩＤ、周期、ＰＤＣＣＨ  ｃａｎｄｉｄａｔｅ数、シンボル数、監視のＤＣＩフォーマットなど）に基づいて探索空間セットをソートし、ソート順に探索空間セットを割り当て又は破棄し、要求された処理能力が最大処理能力を超えると、残りの全ての探索空間セットの割り当てを中止して破棄する。
【０１３５】
例えば、ＰＤＣＣＨ  ｃａｎｄｉｄａｔｅについて、端末は、ＰＤＣＣＨ  ｃａｎｄｉｄａｔｅ毎に対応する以下の少なくとも１つの情報（例えば、ＣＩＦ値、アグリゲーションレベル、セルＩＤ又はｉｎｄｅｘ、ＣＣＥ座標など）でＰＤＣＣＨ  ｃａｎｄｉｄａｔｅをソートし、ソート順にＰＤＣＣＨ  ｃａｎｄｉｄａｔｅを割り当て又は破棄する。
【０１３６】
例として、ネットワーク機器、ＲＲＣによって端末に対して６つのセル（即ち、セルＡ、Ｂ、Ｃ、Ｄ、Ｅ、Ｆ）を設定して活性化し、そのうち、セルＡがプライマリセルであり、セルＢ、Ｃ、Ｄ、Ｅ、Ｆがセカンダリセルであり、且つセルＢがセルＣ、Ｄ、Ｅに対してクロスキャリアスケジューリングをし、セルＡ、セルＦが自己スケジューリングセルである。
【０１３７】
具体的には、ネットワーク機器は、上記セルのセルＩＤ、Ｉｎｄｅｘ、ＣＩＦ値等を設定する。セルＡ、Ｂ、Ｃ、Ｄ、Ｅ、Ｆのｉｎｄｅｘは、それぞれ０、１、２、３、４、５である。Ｂ、Ｃ、Ｄ、Ｅは、Ｂにおいて対応するＣＩＦがそれぞれ０、２、３、１である。全セルのＢＷＰのＳＣＳは、１５ｋＨｚである。端末は、その最大のＣＡブラインド検出処理能力が４であることを報告する。
【０１３８】
具体的には、ネットワーク機器は、ＣＯＲＥＳＥＴ及び関連する探索空間セットを含め、Ａ、Ｂ、Ｆ（スケジューリングセル）のＢＷＰ上のＰＤＣＣＨを設定し、且つセルＢのＰＤＣＣＨ  ｃａｎｄｉｄａｔｅ数に対してｏｖｅｒｂｏｏｋｉｎｇをする。ここで、セルＡにおけるＣＳＳのＰＤＣＣＨ  ｃａｎｄｉｄａｔｅ数は、７であり、ＵＳＳのＰＤＣＣＨ  ｃａｎｄｉｄａｔｅ数は、３２である。セルＢにおけるＵＳＳ１、ＵＳＳ２、ＵＳＳ３、ＵＳＳ４のＰＤＣＣＨ  ｃａｎｄｉｄａｔｅ数は、それぞれ３２であり、セルＦにおけるＵＳＳのＰＤＣＣＨ  ｃａｎｄｉｄａｔｅ数は、３２である。
【０１３９】
端末は、複数のスケジューリングセルの間で最大ＰＤＣＣＨ  ｃａｎｄｉｄａｔｅ数を動的に共有することができる。そのため、上記内容に基づいて、端末の全てのスケジューリングセルの全ての探索空間セットのＰＤＣＣＨ  ｃａｎｄｉｄａｔｅ数（７＋３２＊６  ＝１９９）、即ち、端末の全てのスケジューリングセルの処理要件を算出する。端末がサポートする最大ＰＤＣＣＨ  ｃａｎｄｉｄａｔｅ数（４４＊４＝１７６）は、１９９未満である。そのため、ネットワーク機器は、自身のみをスケジューリングするスケジューリングセルを１つ選択してその処理能力を制限する。即ち、該セルに対して設定される探索空間セットの処理能力は、該セルの最大処理能力を超えることができない。例えば、ネットワーク側がセルＢに対してｏｖｅｒｂｏｏｋｉｎｇをしたため、端末は、セルＢの一部ＰＤＣＣＨ  ｃａｎｄｉｄａｔｅを選択的に破棄し、例えばセルＢ上のＵＳＳ４を割り当てない。それによって、端末の全スケジューリングセルに必要な最大ＰＤＣＣＨ  ｃａｎｄｉｄａｔｅ数（７＋３２＊５＝１６７）が、端末によってサポートされる最大ＰＤＣＣＨ  ｃａｎｄｉｄａｔｅ数（４４＊４＝１７６）未満であることを保証する。
【０１４０】
同様に、最大非重複のＣＣＥ数の割り当てを決定することができる。
【０１４１】
なお、ネットワーク機器は、ネットワーク側で上記ステップ７０１とステップ７０２の内容を実行してもよく、ここでは繰り返して述べない。
【０１４２】
本発明の実施例に係るＰＤＣＣＨ監視方法において、Ｎ個のスケジューリングセルの処理要件が端末にサポートされる最大処理能力より大きいシナリオで、自身のみをスケジューリングするスケジューリングセルの処理能力を制限することによって、端末がＮ個のスケジューリングセルに割り当てた最大処理能力が、端末にサポートされる最大処理能力を超えないことを保証する。
実施例７
【０１４３】
図８に示すように、本発明の実施例は、端末８００を提供する。該端末８００は、Ｎ個のスケジューリングセルのＰＤＣＣＨブラインド検出能力情報に基づいてＰＤＣＣＨを監視する監視モジュール８０１を含む。ここで、上記Ｎ個のスケジューリングセルは、端末に対してネットワーク機器が設定するＭ個のセルのうちのセルであり、該Ｍ個のセルは、Ｘ個のスケジューリングされたセルを更に含み、上記Ｎ個のスケジューリングセルのＰＤＣＣＨブラインド検出能力情報は、上記Ｍ個のセルのセルパラメータに関連し、上記Ｎ個のスケジューリングセルのＰＤＣＣＨブラインド検出能力情報は、端末が単位時間内にスケジューリングセル毎又はＮ個のスケジューリングセルでＰＤＣＣＨをブラインド検出する最大処理能力を示し、Ｍ、Ｎは、１以上の正の整数であり、Ｘは、０以上の正の整数であり、Ｍ＝Ｎ＋Ｘである。
【０１４４】
任意選択で、上記セルパラメータは、各スケジューリングセルがスケジューリング可能なセル数、セル毎のサブキャリア間隔、セル毎のセル識別子及び前記端末に対して設定されるセル数Ｍの少なくとも１つを含む。
【０１４５】
任意選択で、図８に示すように、該端末８００は、Ｍ個のセルのサブキャリア間隔が同一である場合、第１スケジューリングセルの第１ＰＤＣＣＨブラインド検出能力情報候補及び第２ＰＤＣＣＨブラインド検出能力情報候補を取得し、第１ＰＤＣＣＨブラインド検出能力情報候補及び第２ＰＤＣＣＨブラインド検出能力情報候補のうちの最小値を、第１スケジューリングセルのＰＤＣＣＨブラインド検出能力情報とする取得モジュール８０２を更に含む。ここで、上記第１ＰＤＣＣＨブラインド検出能力情報候補は、第１値、第１情報及び第１スケジューリングセルのサブキャリア間隔に対応する第２情報の少なくとも１つに関連し、上記第２ＰＤＣＣＨブラインド検出能力情報候補は、第１スケジューリングセルがスケジューリング可能なセル数及び第２情報の少なくとも１つに関連する。上記第１情報は、前記端末がＰＤＣＣＨをブラインド検出する最大処理能力を示し、上記第２情報は、第１スケジューリングセルに対応するサブキャリア間隔の設定において、端末がシングルセルでＰＤＣＣＨをブラインド検出する最大処理能力を示し、上記第１値は、端末が第１スケジューリングセルにＰＤＣＣＨブラインド検出能力を割り当てる割り当て割合であり、上記第１スケジューリングセルは、Ｎ個のスケジューリングセルのうちの１つである。
【０１４６】
任意選択で、上記第１値は、第１スケジューリングセルがスケジューリング可能なセル数と、上記端末に対して設定されるセル数Ｍとの比である。
【０１４７】
任意選択で、上記セルパラメータは、Ｎ個のスケジューリングセルの第１優先度情報及び／又はＭ個のセルの第２優先度情報を含む。図８に示すように、該端末８００は、第１優先度情報／又は第２優先度情報に応じて、高い方から順に、スケジューリングセル毎にＰＤＣＣＨブラインド検出能力及び／又は探索空間セット及び／又はＰＤＣＣＨ  ｃａｎｄｉｄａｔｅを割り当て、Ｎ個のスケジューリングセルのＰＤＣＣＨブラインド検出能力情報を決定する決定モジュール８０３を更に含む。
【０１４８】
任意選択で、取得モジュール８０２は、Ｍ個のセルのサブキャリア間隔が異なる場合、第１サブキャリア間隔セットのうちの一部又は全部の第１サブキャリア間隔毎に対応するセル群のＰＤＣＣＨブラインド検出能力情報に基づいて、セル群毎のスケジューリングセル毎にＰＤＣＣＨブラインド検出能力をそれぞれ割り当て、セル群毎のスケジューリングセル毎のＰＤＣＣＨブラインド検出能力情報を決定する。
【０１４９】
ここで、上記第１サブキャリア間隔セットは、Ｎ個のスケジューリングセルに対応する全てのサブキャリア間隔、又は、上記Ｍ個のセルに対応する全てのサブキャリア間隔を含み、各セル群に含まれる全てのセルのサブキャリア間隔は、同じであり、異なるセル群に対応する第１サブキャリア間隔は、異なり、セル群毎のＰＤＣＣＨブラインド検出能力情報は、該セル群のセルパラメータに関連する。
【０１５０】
任意選択で、取得モジュール８０２は、更に、第１サブキャリア間隔セットに、Ｎ個のスケジューリングセルに対応する全てのサブキャリア間隔が含まれる場合、第１セル群の第３ＰＤＣＣＨブラインド検出能力情報候補及び第４ＰＤＣＣＨブラインド検出能力情報候補を取得し、第３ＰＤＣＣＨブラインド検出能力情報候補及び第４ＰＤＣＣＨブラインド検出能力情報候補のうち最小値を、第１セル群のＰＤＣＣＨブラインド検出能力情報とする。
【０１５１】
ここで、上記第３ＰＤＣＣＨブラインド検出能力情報候補は、第１セル群のスケジューリング可能セル数及び第３情報の少なくとも１つに関連し、上記第４ＰＤＣＣＨブラインド検出能力情報候補は、第１情報、第２値及び第３情報の少なくとも１つに関連する。上記第１情報は、端末がＰＤＣＣＨをブラインド検出する最大処理能力を示し、上記第３情報は、第１セル群に対応するサブキャリア間隔の設定において、上記端末がシングルセルでＰＤＣＣＨをブラインド検出する最大処理能力を示し、上記第２値は、端末が第１セル群にＰＤＣＣＨブラインド検出能力を割り当てる割り当て割合であり、上記第１セル群は、全セル群のうちの１つの群である。
【０１５２】
任意選択で、上記第２値は、第１セル群のスケジューリング可能なセル数と、全てのセル群のスケジューリング可能なセル数の合計との比であり、又は、上記第２値は、第１セル群のセル数と、全セル群のセル数の合計との比である。
【０１５３】
任意選択で、上記取得モジュール８０２は、更に、第１サブキャリア間隔セットに、Ｍ個のセルに対応する全てのサブキャリア間隔が含まれる場合、第２セル群の第５ＰＤＣＣＨブラインド検出能力情報候補を取得し、第５ＰＤＣＣＨブラインド検出能力情報候補と第２セル群に対応する第４情報とのうちの最小値を、第２セル群のＰＤＣＣＨブラインド検出能力情報とする。
【０１５４】
ここで、上記第５ＰＤＣＣＨブラインド検出能力情報候補は、第２セル群に含まれるセル数、第１情報、及び端末に対して設定されるセル数Ｍの少なくとも１つに関連する。上記第１情報は、端末がＰＤＣＣＨをブラインド検出する最大処理能力を示し、上記第４情報は、第２セル群に対応するサブキャリア間隔の設定において、端末がシングルセルでＰＤＣＣＨをブラインド検出する最大処理能力を示し、上記第２セル群は、全セル群のうちの１つの群である。
【０１５５】
任意選択で、第１サブキャリア間隔セットに、Ｍ個のセルに対応する全てのサブキャリア間隔が含まれる場合、上記決定モジュール８０３は、具体的には、第２スケジューリングセルに対応する各スケジューリング可能なセルの在圏セル群のＰＤＣＣＨブラインド検出能力情報及び各スケジューリング可能なセルに対応する第３値に基づいて、第２スケジューリングセルにＰＤＣＣＨブラインド検出能力を割り当て、第２スケジューリングセルのＰＤＣＣＨブラインド検出能力情報を決定する。ここで、上記第３値は、端末がスケジューリング可能なセルにＰＤＣＣＨブラインド検出能力を割り当てる割り当て割合であり、第２スケジューリングセルは、Ｎ個のスケジューリングセルのうちの１つである。
【０１５６】
任意選択で、上記決定モジュール８０３は、具体的には、第２スケジューリングセルに対応する各スケジューリング可能なセルの在圏セル群のＰＤＣＣＨブラインド検出能力情報と、各スケジューリング可能なセルに対応するサブキャリア間隔と、第２スケジューリングセルに対応するサブキャリア間隔と、第１式とに基づいて、第２スケジューリングセルのＰＤＣＣＨブラインド検出能力情報を決定する。
【０１５７】
ここで、上記第１式は、
【数７６】
2021531695.tif 000081
である。上記
【数７７】
2021531695.tif 000082
は、第２スケジューリングセルのｊ番目のスケジューリング可能なセルの在圏セル群のＰＤＣＣＨブラインド検出能力情報であり、
【数７８】
2021531695.tif 000083
は、ｊ番目のスケジューリング可能なセルに対応するサブキャリア間隔に基づいて決定され、上記
【数７９】
2021531695.tif 000084
は、第２スケジューリングセルに対応するサブキャリア間隔に基づいて決定される。
【０１５８】
任意選択で、取得モジュール８０２は、Ｎ個の第１スケジューリングセルの第６ＰＤＣＣＨブラインド検出能力情報候補及び第７ＰＤＣＣＨブラインド検出能力情報候補を取得し、第６ＰＤＣＣＨブラインド検出能力情報候補及び第７ＰＤＣＣＨブラインド検出能力情報候補のうちの最小値を、Ｎ個のスケジューリングセルのＰＤＣＣＨブラインド検出能力情報とする。ここで、上記第６ＰＤＣＣＨブラインド検出能力情報候補は、第１情報、及び、スケジューリングセル及び／又はスケジューリングされたセル毎のサブキャリア間隔に対応する第２情報の少なくとも１つに関連し、上記第７ＰＤＣＣＨブラインド検出能力情報候補は、端末に対して設定されるセル数Ｍ及び第２情報の少なくとも１つに関連する。上記第１情報は、端末がＰＤＣＣＨをブラインド検出する最大処理能力を示し、上記第２情報は、対応するスケジューリングセル又はスケジューリングされたセルに対応するサブキャリア間隔の設定において、上記端末がシングルセルでＰＤＣＣＨをブラインド検出する最大処理能力を示す。
【０１５９】
任意選択で、図８に示すように、該端末８００は、割り当てモジュール８０４を更に含む。取得モジュール８０２は、端末が上記Ｎ個のスケジューリングセルの全ての探索空間セットでＰＤＣＣＨを監視する数を示す第５情報を取得する。割り当てモジュール８０４は、取得モジュール８０２が取得した第５情報に基づいて、端末がＮ個のスケジューリングセルの全ての探索空間セットでＰＤＣＣＨを監視する数が、端末がＰＤＣＣＨをブラインド検出する最大処理能力を超えると決定される場合、第３スケジューリングセルの一部の探索空間セットを割り当てないか、又は、第３スケジューリングセルの一部の探索空間セットに一部のＰＤＣＣＨブラインド検出能力を割り当てる。
【０１６０】
ここで、上記第３スケジューリングセルは、Ｎ個のスケジューリングセルのうちの１つであり、且つ第３スケジューリングセルは、少なくとも１つのスケジューリングされたセルに対応する。
【０１６１】
本発明の実施例に係る端末機器は、上記方法実施例における図２〜図７のいずれかに示されているプロセスを実現することができるので、重複を避けるために、ここでは繰り返して述べない。
【０１６２】
本発明の実施例に係る端末は、クロスキャリアスケジューリング過程でネットワーク機器が端末に対してＮ個のスケジューリングセル及びＸ個のスケジューリングされたセルを含むＭ個のセルのセルパラメータを設定することによって、該セルパラメータに基づいて、スケジューリングセル毎又はＮ個のスケジューリングセルで端末がＰＤＣＣＨをブラインド検出する最大処理能力（即ち、Ｎ個のスケジューリングセルのＰＤＣＣＨブラインド検出能力情報）を決定し、端末の処理能力を活用し、ＰＤＣＣＨに対する端末の監視効率を向上させる。
実施例８
【０１６３】
図９は、本発明の実施例を実現するネットワーク機器のハードウェア構造図である。図９に示すように、該ネットワーク機器９００は、送信モジュール９０１を含む。送信モジュール９０１は、Ｍ個のセルのセルパラメータを端末に対して設定する。ここで、上記Ｍ個のセルは、Ｎ個のスケジューリングセル及びＸ個のスケジューリングされたセルを含み、上記セルパラメータは、Ｎ個のスケジューリングセルのＰＤＣＣＨブラインド検出能力情報に関連し、上記Ｎ個のスケジューリングセルのＰＤＣＣＨブラインド検出能力情報は、端末が単位時間内にスケジューリングセル毎又はＮ個のスケジューリングセルでＰＤＣＣＨをブラインド検出する最大処理能力を示し、上記セルパラメータは、Ｎ個のスケジューリングセルのＰＤＣＣＨブラインド検出能力情報に基づいてＰＤＣＣＨを監視するように端末に指示する。
【０１６４】
前記送信モジュール９０１は、更に、Ｎ個のスケジューリングセルでＰＤＣＣＨを送信する。
【０１６５】
本発明の実施例に係る端末機器は、上記方法実施例における図２〜図７のいずれかに示されているプロセスを実現することができるので、重複を避けるために、ここでは繰り返して述べない。
【０１６６】
本発明の実施例に係るネットワーク機器は、クロスキャリアスケジューリング過程で端末に対してＮ個のスケジューリングセル及びＸ個のスケジューリングされたセルを含むＭ個のセルのセルパラメータを設定する。それによって、端末は、該セルパラメータに基づいて、スケジューリングセル毎又はＮ個のスケジューリングセルで端末がＰＤＣＣＨをブラインド検出する最大処理能力（即ち、Ｎ個のスケジューリングセルのＰＤＣＣＨブラインド検出能力情報）を決定し、端末の処理能力を活用し、ＰＤＣＣＨに対する端末の監視効率を向上させる。
実施例９
【０１６７】
図１０は、本発明の各実施例を実現する端末のハードウェア構造図である。該端末１００は、ラジオ周波数ユニット１０１と、ネットワークモジュール１０２と、音声出力ユニット１０３と、入力ユニット１０４と、センサ１０５と、表示ユニット１０６と、ユーザ入力ユニット１０７と、インタフェースユニット１０８と、メモリ１０９と、プロセッサ１１０と、電源１１１などの構成要素を含むが、これらに限定されない。図１０に示される端末１００の構造は、端末を限定するものではなく、端末１００は、図示されるよりも多い又は少ない構成要素、又は特定の構成要素の組み合わせ、又は異なる構成要素の配置を含むことができることを、当業者は理解可能である。本発明の実施例において、端末１００は、携帯電話、タブレットパソコン、ノートパソコン、パームトップパソコン、車載端末、ウェアラブルデバイス及び歩数計などを含むが、それらに限定されない。
【０１６８】
ここで、プロセッサ１１０は、Ｎ個のスケジューリングセルのＰＤＣＣＨブラインド検出能力情報に基づいてＰＤＣＣＨを監視する。ここで、上記Ｎ個のスケジューリングセルは、端末に対してネットワーク機器が設定するＭ個のセルのうちのセルであり、該Ｍ個のセルは、Ｘ個のスケジューリングされたセルを更に含み、上記Ｎ個のスケジューリングセルのＰＤＣＣＨブラインド検出能力情報は、Ｍ個のセルのセルパラメータに関連し、上記Ｎ個のスケジューリングセルのＰＤＣＣＨブラインド検出能力情報は、端末１００が単位時間内にスケジューリングセル毎又はＮ個のスケジューリングセルでＰＤＣＣＨをブラインド検出する最大処理能力を示す。Ｍ、Ｎは、１以上の正の整数であり、Ｘは、０以上の正の整数であり、Ｍ＝Ｎ＋Ｘである。
【０１６９】
本発明の実施例に係る端末は、クロスキャリアスケジューリング過程でネットワーク機器が端末に対してＮ個のスケジューリングセル及びＸ個のスケジューリングされたセルを含むＭ個のセルのセルパラメータを設定することによって、該セルパラメータに基づいて、スケジューリングセル毎又はＮ個のスケジューリングセルで端末がＰＤＣＣＨをブラインド検出する最大処理能力（即ち、Ｎ個のスケジューリングセルのＰＤＣＣＨブラインド検出能力情報）を決定し、端末の処理能力を活用し、ＰＤＣＣＨに対する端末の監視効率を向上させる。
【０１７０】
なお、本発明の実施例において、ラジオ周波数ユニット１０１は、情報の送受信又は通話中で信号の送受信に用いられ、具体的に、基地局から下りデータを受信した後、プロセッサ１１０による処理に供し、また、上りデータを基地局に送信する。一般に、ラジオ周波数ユニット１０１は、アンテナ、少なくとも１つの増幅器、トランシーバ、結合器、低雑音増幅器、デュプレクサなどを含むが、それらに限定されない。また、ラジオ周波数ユニット１０１は、無線通信システムを介してネットワークや他の機器と通信を行うこともできる。
【０１７１】
端末１００は、ネットワークモジュール１０２を介して、電子メールの送受信、ウェブページの閲覧、ストリーミングメディアへのアクセスを支援するなど、無線ブロードバンドインターネットアクセスをユーザに提供する。
【０１７２】
音声出力ユニット１０３は、ラジオ周波数ユニット１０１やネットワークモジュール１０２が受信した音声データや、メモリ１０９に記憶された音声データを音声信号に変換して音声として出力することができる。また、音声出力ユニット１０３は、端末１００が実行する特定の機能に関する音声（例えば、呼出信号着信音、メッセージ着信音等）を出力してもよい。音声出力ユニット１０３は、スピーカ、ブザー及びレシーバなどを含む。
【０１７３】
入力ユニット１０４は、音声や映像の信号を受信することに用いられる。入力ユニット１０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１０４１と、マイク１０４２とを含む。処理された画像フレームは、表示ユニット１０６上に表示される。グラフィックスプロセッサ１０４１で処理された画像フレームは、メモリ１０９（又は他の記憶媒体）に記憶されるか、又はラジオ周波数ユニット１０１又はネットワークモジュール１０２を介して送信される。マイク１０４２は、音声を受信し、音声データに加工することができる。処理された音声データは、電話通話モードの場合、ラジオ周波数ユニット１０１を介して移動体通信基地局に送信可能な形式に変換して出力することができる。
【０１７４】
端末１００は、光センサ、モーションセンサ及び他のセンサのような少なくとも１つのセンサ１０５を更に含む。具体的には、光センサは、周辺光センサ及び近接センサを含む。周辺光センサは、周辺光の明暗に応じて表示パネル１０６１の輝度を調節し、近接センサは、端末１００が耳に移動したときに表示パネル１０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ストローク）などに用いることができる。センサ１０５は、指紋センサ、圧力センサ、虹彩センサ、分子センサ、ジャイロスコープ、気圧計、湿度計、温度計、赤外線センサなどを更に含むことができるが、ここでは枚挙しない。
【０１７５】
表示ユニット１０６は、ユーザが入力した情報やユーザに提供した情報を表示するために用いられる。表示ユニット１０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１０６１を含んでもよい。
【０１７６】
ユーザ入力ユニット１０７は、数字や文字情報の入力を受け付け、ユーザによる端末１００の構成や機能制御に関するキー信号の入力を行うことに用いられる。具体的に、ユーザ入力ユニット１０７は、タッチパネル１０７１と、その他の入力機器１０７２とを含む。タッチパネル１０７１は、タッチスクリーンとも呼ばれ、その上又は付近でのユーザのタッチ操作を取得可能である（例えばユーザが指やスタイラスなどの任意の適切な物体や付属部材を用いたタッチパネル１０７１の上又はタッチパネル１０７１の付近での操作）。タッチパネル１０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１１０に送り、プロセッサ１１０からの命令を受信して実行する。なお、タッチパネル１０７１は、抵抗膜式、静電容量式、赤外線、表面弾性波など、種々の方式を用いて実現することができる。ユーザ入力ユニット１０７は、タッチパネル１０７１の他に、他の入力機器１０７２を含んでもよい。具体的に、他の入力機器１０７２は、物理的なキーボード、機能キー（例えば、音量調節キー、スイッチキーなど）、トラックボール、マウス、レバーを含むが、ここでは枚挙しない。
【０１７７】
更に、タッチパネル１０７１は、表示パネル１０６１に重ねられる。タッチパネル１０７１は、その上又はその近くでタッチ操作を検出すると、プロセッサ１１０に送信して、タッチイベントのタイプを決定する。次いで、プロセッサ１１０は、タッチイベントのタイプに応じて、対応する視覚的出力を表示パネル１０６１に提供する。図１０では、タッチパネル１０７１と表示パネル１０６１は、独立した２つの部品として端末の入出力機能を実現するが、実施例によっては、タッチパネル１０７１と表示パネル１０６１を一体化して端末１００の入出力機能を実現することもでき、具体的にここでは限定しない。
【０１７８】
インタフェースユニット１０８は、外部装置と端末１００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット１０８は、外部装置から入力（例えば、データ情報、電力など）を受信し、受信した入力を端末１００内の１つ以上の要素に伝送するために使用されてもよく、又は端末１００と外部装置との間でデータを伝送するために使用されてもよい。
【０１７９】
メモリ１０９は、ソフトウェアプログラム及び様々なデータを格納するために使用される。メモリ１０９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１８０】
プロセッサ１１０は、端末１００の制御センタであり、各種インタフェースや回線を用いて端末１００全体の各部を接続し、メモリ１０９に格納されたソフトウェアプログラム及び／又はモジュールを実行、メモリ１０９に格納されたデータを呼び出して端末１００の各種機能及び処理データを実行し、端末１００全体の監視を行う。プロセッサ１１０は、１つ以上の処理ユニットを含んでもよい。任意選択で、プロセッサ１１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ１１０に統合されなくてもよいことが理解される。
【０１８１】
端末１００は、各構成要素に電力を供給するためのバッテリのような電源１１１を更に含んでもよい。選択可能に、電源１１１は、電源管理システムを介してプロセッサ１１０に論理的に接続されてもよく、電源管理システムを介して充電、放電、及び消費電力管理などを管理する機能を実現してもよい。
【０１８２】
また、端末１００は、図示しない機能モジュールを更に含んでもよく、ここでの説明は省略する。
実施例１０
【０１８３】
図１１は、本発明の実施例を実現するネットワーク機器のハードウェア構造図である。該ネットワーク機器１１００は、プロセッサ１１０１と、トランシーバ１１０２と、メモリ１１０３と、ユーザインタフェース１１０４と、バスインタフェースを含む。
【０１８４】
ここで、トランシーバ１１０２は、Ｍ個のセルのセルパラメータを端末に対して設定する。ここで、上記Ｍ個のセルは、Ｎ個のスケジューリングセル及びＸ個のスケジューリングされたセルを含み、上記セルパラメータは、Ｎ個のスケジューリングセルのＰＤＣＣＨブラインド検出能力情報に関連し、上記Ｎ個のスケジューリングセルのＰＤＣＣＨブラインド検出能力情報は、端末が単位時間内にスケジューリングセル毎又はＮ個のスケジューリングセルでＰＤＣＣＨをブラインド検出する最大処理能力を示し、上記セルパラメータは、Ｎ個のスケジューリングセルのＰＤＣＣＨブラインド検出能力情報に基づいてＰＤＣＣＨを監視するように端末に指示する。トランシーバ１１０２は、更に、前記Ｎ個のスケジューリングセルでＰＤＣＣＨを送信する。
【０１８５】
本発明の実施例に係るネットワーク機器は、クロスキャリアスケジューリング過程で端末に対してＮ個のスケジューリングセル及びＸ個のスケジューリングされたセルを含むＭ個のセルのセルパラメータを設定する。それによって、端末は、該セルパラメータに基づいて、スケジューリングセル毎又はＮ個のスケジューリングセルで端末がＰＤＣＣＨをブラインド検出する最大処理能力（即ち、Ｎ個のスケジューリングセルのＰＤＣＣＨブラインド検出能力情報）を決定することができ、端末の処理能力を活用し、ＰＤＣＣＨに対する端末の監視効率を向上させる。
【０１８６】
本発明の実施例において、図１１では、バスアーキテクチャは、任意数の相互接続するバスとブリッジを含み、具体的に、プロセッサ１１０１をはじめとする１つ又は複数のプロセッサとメモリ１１０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１０２は、複数の部品であってもよく、即ち送信機と受信機を含み、伝送媒体でほかの各種類の装置と通信するユニットとして提供される。ユーザ端末によっては、ユーザインタフェース１１０４は、内部接続や外部接続する機器のインタフェースであってもよい。接続する機器は、キーパッド、ディスプレイ、スピーカ、マイクロフォン、ジョイスティックなどを含むが、それらに限られない。プロセッサ１１０１は、バスアーキテクチャと通常の処理を管理する。メモリ１１０３は、プロセッサ１１０１による操作実行に使用されるデータを記憶できる。
【０１８７】
また、ネットワーク機器１１００は、図示しない機能モジュールを更に含んでもよく、ここでの説明は省略する。
実施例１１
【０１８８】
任意選択で、本発明の実施例は、プロセッサと、メモリと、メモリに格納されてプロセッサで動作可能なコンピュータプログラムを含む端末を更に提供し、該コンピュータプログラムがプロセッサによって実行されると、上記実施例１〜６のＰＤＣＣＨ監視方法のプロセスが実現され、且つ同じ技術効果を奏することもできるので、重複を避けるために、ここでは繰り返して記載しない。
【０１８９】
任意選択で、本発明の実施例は、プロセッサと、メモリと、メモリに格納されてプロセッサで動作可能なコンピュータプログラムを含むネットワーク機器を更に提供し、該コンピュータプログラムがプロセッサによって実行されると、上記実施例１〜６のＰＤＣＣＨ監視方法のプロセスが実現され、且つ同じ技術効果を奏することもできるので、重複を避けるために、ここでは繰り返して記載しない。
【０１９０】
本発明の実施例は、コンピュータプログラムが格納されているコンピュータ読み取り可能な記憶媒体を更に提供し、該コンピュータプログラムがプロセッサによって実行されると、上記実施例に係るＰＤＣＣＨ監視方法の複数のプロセスが実現され、且つ同じ技術効果を奏することもできるので、重複を避けるために、ここでは繰り返して記載しない。ここで、コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０１９１】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１９２】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本発明の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本発明の各実施例の方法を１台の端末機器（携帯電話、コンピュータ、サーバー、空調機又はネットワークデバイスなど）に実行させるいくつかの指令を含む。
【０１９３】
以上、本発明の実施例を図面に基づいて記載したが、本発明は、上記の具体的な実施形態に限定されるものではない。上記の具体的な実施形態は、例示的なものであり、限定的なものではない。本発明のヒントを受け、当業者が本発明の趣旨及び特許請求の範囲から逸脱することなくなしえる多くの形態は、すべて本発明の保護範囲に含まれる。
【符号の説明】
【０１９４】
８００  端末
８０１  監視モジュール
８０２  取得モジュール
８０３  決定モジュール
８０４  割り当てモジュール
９００  ネットワーク機器
９０１  送信モジュール
【図１】
2021531695.tif 000093
【図２】
2021531695.tif 000094
【図３】
2021531695.tif 000095
【図４】
2021531695.tif 000096
【図５】
2021531695.tif 000097
【図６】
2021531695.tif 000098
【図７】
2021531695.tif 000099
【図８】
2021531695.tif 000100
【図９】
2021531695.tif 000101
【図１０】
2021531695.tif 000102
【図１１】
2021531695.tif 000103
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
端末に応用される下り制御チャネルＰＤＣＣＨ監視方法であって、
Ｎ個のスケジューリングセルのＰＤＣＣＨブラインド検出能力情報に基づいてＰＤＣＣＨを監視することを含み、
ここで、前記Ｎ個のスケジューリングセルは、前記端末に対してネットワーク機器が設定するＭ個のセルのうちのセルであり、前記Ｍ個のセルは、Ｘ個のスケジューリングされたセルを更に含み、前記Ｎ個のスケジューリングセルのＰＤＣＣＨブラインド検出能力情報は、前記Ｍ個のセルのセルパラメータに関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、
Ｍ、Ｎは、１以上の正の整数であり、Ｘは、０以上の正の整数であり、Ｍ＝Ｎ＋Ｘであり、
前記セルパラメータは、
各スケジューリングセルがスケジューリング可能なセル数、セル毎のサブキャリア間隔、セル毎のセル識別子及び前記端末に対して設定されるセル数Ｍの少なくとも１つを含む、下り制御チャネルＰＤＣＣＨ監視方法。
【請求項２】
前記Ｍ個のセルのサブキャリア間隔が同一である場合、第１スケジューリングセルの第１ＰＤＣＣＨブラインド検出能力情報候補及び第２ＰＤＣＣＨブラインド検出能力情報候補を取得し、前記第１ＰＤＣＣＨブラインド検出能力情報候補及び前記第２ＰＤＣＣＨブラインド検出能力情報候補のうちの最小値を、前記第１スケジューリングセルのＰＤＣＣＨブラインド検出能力情報とすることを更に含み、
ここで、前記第１ＰＤＣＣＨブラインド検出能力情報候補は、第１値、第１情報及び前記第１スケジューリングセルのサブキャリア間隔に対応する第２情報の少なくとも１つに関連し、前記第２ＰＤＣＣＨブラインド検出能力情報候補は、前記第１スケジューリングセルがスケジューリング可能なセル数及び第２情報の少なくとも１つに関連し、
前記第１情報は、前記端末がＰＤＣＣＨをブラインド検出する最大処理能力を示し、前記第２情報は、前記第１スケジューリングセルに対応するサブキャリア間隔の設定において、前記端末がシングルセルでＰＤＣＣＨをブラインド検出する最大処理能力を示し、前記第１値は、前記端末が前記第１スケジューリングセルにＰＤＣＣＨブラインド検出能力を割り当てる割り当て割合であり、前記第１スケジューリングセルは、前記Ｎ個のスケジューリングセルのうちの１つである、請求項１に記載の方法。
【請求項３】
前記Ｍ個のセルのサブキャリア間隔が異なる場合、第１サブキャリア間隔セットのうちの一部又は全部の第１サブキャリア間隔毎に対応するセル群のＰＤＣＣＨブラインド検出能力情報に基づいて、スケジューリングセル毎にＰＤＣＣＨブラインド検出能力をそれぞれ割り当て、前記スケジューリングセル毎のＰＤＣＣＨブラインド検出能力情報を決定することを更に含み、
ここで、前記第１サブキャリア間隔セットは、前記Ｎ個のスケジューリングセルに対応する全てのサブキャリア間隔、又は、前記Ｍ個のセルに対応する全てのサブキャリア間隔を含み、各セル群に含まれる全てのセルのサブキャリア間隔は、同じであり、異なるセル群に対応する第１サブキャリア間隔は、異なり、セル群毎のＰＤＣＣＨブラインド検出能力情報は、前記セル群のセルパラメータに関連する、請求項１に記載の方法。
【請求項４】
ネットワーク機器に応用される下り制御チャネルＰＤＣＣＨ監視方法であって、
Ｍ個のセルのセルパラメータを端末に対して設定し、ここで、前記Ｍ個のセルは、Ｎ個のスケジューリングセル及びＸ個のスケジューリングされたセルを含み、前記セルパラメータは、前記Ｎ個のスケジューリングセルのＰＤＣＣＨブラインド検出能力情報に関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、前記セルパラメータは、前記Ｎ個のスケジューリングセルのＰＤＣＣＨブラインド検出能力情報に基づいてＰＤＣＣＨを監視するように前記端末に指示し、
前記Ｎ個のスケジューリングセルでＰＤＣＣＨを送信することを含む、下り制御チャネルＰＤＣＣＨ監視方法。
【請求項５】
端末であって、
Ｎ個のスケジューリングセルのＰＤＣＣＨブラインド検出能力情報に基づいてＰＤＣＣＨを監視する監視モジュールを含み、
ここで、前記Ｎ個のスケジューリングセルは、前記端末に対してネットワーク機器が設定するＭ個のセルのうちのセルであり、前記Ｍ個のセルは、Ｘ個のスケジューリングされたセルを更に含み、前記Ｎ個のスケジューリングセルのＰＤＣＣＨブラインド検出能力情報は、前記Ｍ個のセルのセルパラメータに関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、
Ｍ、Ｎは、１以上の正の整数であり、Ｘは、０以上の正の整数であり、Ｍ＝Ｎ＋Ｘであり、
前記セルパラメータは、
各スケジューリングセルがスケジューリング可能なセル数、セル毎のサブキャリア間隔、セル毎のセル識別子及び前記端末に対して設定されるセル数Ｍの少なくとも１つを含む、端末。
【請求項６】
前記Ｍ個のセルのサブキャリア間隔が同一である場合、第１スケジューリングセルの第１ＰＤＣＣＨブラインド検出能力情報候補及び第２ＰＤＣＣＨブラインド検出能力情報候補を取得し、前記第１ＰＤＣＣＨブラインド検出能力情報候補及び前記第２ＰＤＣＣＨブラインド検出能力情報候補のうちの最小値を、前記第１スケジューリングセルのＰＤＣＣＨブラインド検出能力情報とする取得モジュールを更に含み、
ここで、前記第１ＰＤＣＣＨブラインド検出能力情報候補は、第１値、第１情報及び前記第１スケジューリングセルのサブキャリア間隔に対応する第２情報の少なくとも１つに関連し、前記第２ＰＤＣＣＨブラインド検出能力情報候補は、前記第１スケジューリングセルがスケジューリング可能なセル数及び第２情報の少なくとも１つに関連し、
前記第１情報は、前記端末がＰＤＣＣＨをブラインド検出する最大処理能力を示し、前記第２情報は、前記第１スケジューリングセルに対応するサブキャリア間隔の設定において、前記端末がシングルセルでＰＤＣＣＨをブラインド検出する最大処理能力を示し、前記第１値は、前記端末が前記第１スケジューリングセルにＰＤＣＣＨブラインド検出能力を割り当てる割り当て割合であり、前記第１スケジューリングセルは、前記Ｎ個のスケジューリングセルのうちの１つである、請求項５に記載の端末。
【請求項７】
前記第１値は、
前記第１スケジューリングセルがスケジューリング可能なセル数と、前記端末に対して設定されるセル数Ｍとの比である、請求項６に記載の端末。
【請求項８】
前記セルパラメータは、
前記Ｎ個のスケジューリングセルの第１優先度情報及び／又は前記Ｍ個のセルの第２優先度情報を含み、
前記端末は、
前記第１優先度情報／又は前記第２優先度情報に応じて、高い方から順に、スケジューリングセル毎にＰＤＣＣＨブラインド検出能力及び／又は探索空間セット及び／又はＰＤＣＣＨ候補を割り当て、前記Ｎ個のスケジューリングセルのＰＤＣＣＨブラインド検出能力情報を決定する決定モジュールを更に含む、請求項５に記載の端末。
【請求項９】
前記Ｍ個のセルのサブキャリア間隔が異なる場合、第１サブキャリア間隔セットのうちの一部又は全部の第１サブキャリア間隔毎に対応するセル群のＰＤＣＣＨブラインド検出能力情報に基づいて、スケジューリングセル毎にＰＤＣＣＨブラインド検出能力をそれぞれ割り当て、前記スケジューリングセル毎のＰＤＣＣＨブラインド検出能力情報を決定する取得モジュールを更に含み、
ここで、前記第１サブキャリア間隔セットは、前記Ｎ個のスケジューリングセルに対応する全てのサブキャリア間隔、又は、前記Ｍ個のセルに対応する全てのサブキャリア間隔を含み、各セル群に含まれる全てのセルのサブキャリア間隔は、同じであり、異なるセル群に対応する第１サブキャリア間隔は、異なり、セル群毎のＰＤＣＣＨブラインド検出能力情報は、前記セル群のセルパラメータに関連する、請求項５に記載の端末。
【請求項１０】
前記取得モジュールは、更に、前記第１サブキャリア間隔セットに、前記Ｎ個のスケジューリングセルに対応する全てのサブキャリア間隔が含まれる場合、第１セル群の第３ＰＤＣＣＨブラインド検出能力情報候補及び第４ＰＤＣＣＨブラインド検出能力情報候補を取得し、前記第３ＰＤＣＣＨブラインド検出能力情報候補及び前記第４ＰＤＣＣＨブラインド検出能力情報候補のうち最小値を、前記第１セル群のＰＤＣＣＨブラインド検出能力情報とし、
ここで、前記第３ＰＤＣＣＨブラインド検出能力情報候補は、前記第１セル群のスケジューリング可能セル数及び第３情報の少なくとも１つに関連し、前記第４ＰＤＣＣＨブラインド検出能力情報候補は、第１情報、第２値及び前記第３情報の少なくとも１つに関連し、
前記第１情報は、前記端末がＰＤＣＣＨをブラインド検出する最大処理能力を示し、前記第３情報は、前記第１セル群に対応するサブキャリア間隔の設定において、前記端末がシングルセルでＰＤＣＣＨをブラインド検出する最大処理能力を示し、前記第２値は、前記端末が前記第１セル群にＰＤＣＣＨブラインド検出能力を割り当てる割り当て割合であり、前記第１セル群は、全セル群のうちの１つの群である、請求項９に記載の端末。
【請求項１１】
前記取得モジュールは、更に、前記第１サブキャリア間隔セットに、前記Ｍ個のセルに対応する全てのサブキャリア間隔が含まれる場合、第２セル群の第５ＰＤＣＣＨブラインド検出能力情報候補を取得し、前記第５ＰＤＣＣＨブラインド検出能力情報候補と前記第２セル群に対応する第４情報とのうちの最小値を、前記第２セル群のＰＤＣＣＨブラインド検出能力情報とし、
ここで、前記第５ＰＤＣＣＨブラインド検出能力情報候補は、前記第２セル群に含まれるセル数、第１情報、及び前記端末に対して設定されるセル数Ｍの少なくとも１つに関連し、
前記第１情報は、前記端末がＰＤＣＣＨをブラインド検出する最大処理能力を示し、前記第４情報は、前記第２セル群に対応するサブキャリア間隔の設定において、前記端末がシングルセルでＰＤＣＣＨをブラインド検出する最大処理能力を示し、前記第２セル群は、全セル群のうちの１つの群である、請求項９に記載の端末。
【請求項１２】
前記第１サブキャリア間隔セットに、前記Ｍ個のセルに対応する全てのサブキャリア間隔が含まれる場合、
前記決定モジュールは、具体的には、第２スケジューリングセルに対応する各スケジューリング可能なセルの在圏セル群のＰＤＣＣＨブラインド検出能力情報及び前記各スケジューリング可能なセルに対応する第３値に基づいて、前記第２スケジューリングセルにＰＤＣＣＨブラインド検出能力を割り当て、前記第２スケジューリングセルのＰＤＣＣＨブラインド検出能力情報を決定し、
ここで、前記第３値は、前記端末が前記スケジューリング可能なセルにＰＤＣＣＨブラインド検出能力を割り当てる割り当て割合であり、前記第２スケジューリングセルは、前記Ｎ個のスケジューリングセルのうちの１つである、請求項９に記載の端末。
【請求項１３】
前記決定モジュールは、具体的には、
前記第２スケジューリングセルに対応する各スケジューリング可能なセルの在圏セル群のＰＤＣＣＨブラインド検出能力情報と、前記各スケジューリング可能なセルに対応するサブキャリア間隔と、前記第２スケジューリングセルに対応するサブキャリア間隔と、第１式とに基づいて、前記第２スケジューリングセルのＰＤＣＣＨブラインド検出能力情報を決定し、
ここで、前記第１式は、
【数１】
2021531695.tif 000104
であり、前記
【数２】
2021531695.tif 000105
は、前記第２スケジューリングセルのｊ番目のスケジューリング可能なセルの在圏セル群のＰＤＣＣＨブラインド検出能力情報であり、
【数３】
2021531695.tif 000106
は、前記ｊ番目のスケジューリング可能なセルに対応するサブキャリア間隔に基づいて決定され、前記
【数４】
2021531695.tif 000107
は、前記第２スケジューリングセルに対応するサブキャリア間隔に基づいて決定される、請求項１２に記載の端末。
【請求項１４】
前記端末が前記Ｎ個のスケジューリングセルの全ての探索空間セットでＰＤＣＣＨを監視する数を示す第５情報を取得する取得モジュールと、
前記第５情報に基づいて、前記端末が前記Ｎ個のスケジューリングセルの全ての探索空間セットでＰＤＣＣＨを監視する数が、前記端末がＰＤＣＣＨをブラインド検出する最大処理能力を超えると決定される場合、第３スケジューリングセルの一部の探索空間セットを割り当てないか、又は、前記第３スケジューリングセルの一部の探索空間セットに一部のＰＤＣＣＨブラインド検出能力を割り当てる割り当てモジュールとを更に含み、
ここで、前記第３スケジューリングセルは、前記Ｎ個のスケジューリングセルのうちの１つであり、且つ前記第３スケジューリングセルは、少なくとも１つのスケジューリングされたセルに対応する、請求項５〜１３のいずれか１項に記載の端末。
【請求項１５】
ネットワーク機器であって、
Ｍ個のセルのセルパラメータを端末に対して設定する送信モジュールを含み、ここで、前記Ｍ個のセルは、Ｎ個のスケジューリングセル及びＸ個のスケジューリングされたセルを含み、前記セルパラメータは、前記Ｎ個のスケジューリングセルのＰＤＣＣＨブラインド検出能力情報に関連し、前記Ｎ個のスケジューリングセルのＰＤＣＣＨブラインド検出能力情報は、前記端末が単位時間内にスケジューリングセル毎又は前記Ｎ個のスケジューリングセルでＰＤＣＣＨをブラインド検出する最大処理能力を示し、前記セルパラメータは、前記Ｎ個のスケジューリングセルのＰＤＣＣＨブラインド検出能力情報に基づいてＰＤＣＣＨを監視するように前記端末に指示し、
前記送信モジュールは、更に、前記Ｎ個のスケジューリングセルでＰＤＣＣＨを送信する、ネットワーク機器。
【国際調査報告】
2021531695.tif 000108
2021531695.tif 000109
2021531695.tif 000110
2021531695.tif 000111